(57)【要約】【課題】標準ＮＴＳＣ信号以外の形態のアナログビデオ信号に対応したアナログコピープロテクトシステムを信号処理アダプタにより実現する。【解決手段】信号処理アダプタは、転送されたビデオ信号をアナログビデオ信号に変換する回路基板と、前記アナログビデオ信号を受けるアナログビデオ入力端子に接着可能なビデオ信号電極（先割ロッド）と、前記回路基板と前記ビデオ信号電極とを繋ぐ切断可能なリード線とを具備する。このアダプタを接着相手の端子から無理に外そうとすると、内部のリード線が切れてこのアダプタは機能しなくなる。【選択図】      図１５
2006238461.tif 000002
【特許請求の範囲】
【請求項１】
転送された第１のビデオ信号を第２のアナログビデオ信号に変換する回路機能を持つ回路基板と、
前記回路基板から前記第２のアナログビデオ信号が供給されるものであって、この第２のアナログビデオ信号を受けるアナログ映像機器のアナログビデオ入力端子に接着可能なビデオ信号電極と、
前記回路基板と前記ビデオ信号電極とを繋ぐ切断可能なリード線とを具備した信号処理アダプタ。
【請求項２】
前記第２のアナログビデオ信号がコピープロテクトされた信号である請求項１に記載の信号処理アダプタ。
【請求項３】
前記ビデオ信号電極が前記アナログ映像機器のアナログビデオ入力端子に接着されたあとに、このアナログビデオ入力端子から前記信号処理アダプタを機械的に外すと、前記リード線が切断するように構成された請求項１または請求項２に記載の信号処理アダプタ。
【発明の詳細な説明】
【技術分野】
【０００１】
この発明は、著作権保護が必要なビデオプログラムなどが不正にコピーされることを防止するコピープロテクトシステムの信号処理アダプタに関する。
【０００２】
とくに、標準ＮＴＳＣ（あるいはＰＡＬ）信号以外の形態のアナログビデオ信号（たとえば水平走査周波数３１．５ｋＨｚのプログレッシブ・アナログコンポーネントビデオ信号、３３．７ｋＨｚのアナログハイビジョン信号、あるいは高解像度デジタルビデオ信号のアナログ出力）に対応したアナログコピープロテクトシステムの信号処理アダプタに関する。
【背景技術】
【０００３】
現在、ビデオプログラムは、標準的なＴＶシステム（ＮＴＳＣなど）では、アナログ（ＶＨＳビデオ、レーザディスク、地上放送など）またはデジタル（ＤＶＤビデオ、衛星放送など）で供給されている。また、高解像度ＴＶシステム（ＨＤＴＶ）では、アナログ（ＭＵＳＥハイビジョン衛星放送など）で供給されている。デジタルのＨＤＴＶシステム（民生用）は、間もなく実用化される段階にきている。
【０００４】
ところで、ビデオプログラムには、著作権保護の観点から、不正コピーを防止するため、コピープロテクションがかけられている。
【０００５】
標準的なＴＶシステム（平走査周波数１５．７５ｋＨｚのＮＴＳＣなど）では、ビデオ信号の垂直帰線消去期間内にアナログコピーを妨害する情報を挿入して、アナログでのコピープロテクトを実現している（たとえばライン番号１２〜１９および２７５〜２８２にＡＧＣパルスを埋め込むマクロビジョン方式など）。
【０００６】
デジタルでのコピープロテクトに関しては、電子透かしやＣＧＭＳ（Copy Generation Management System；コピー世代管理システム）が提案されている（非特許文献１参照）。
【非特許文献１】１９９７年５月２２日付けの映像情報メディア学会技術報告；ＩＴＥテクニカルレポートＶｏｌ．２１、Ｎｏ．３１、ｐｐ．２１〜２６；江崎正他；「ＶＢＩを用いたＣＧＭＳ−Ａ伝送方式」
【発明の開示】
【発明が解決しようとする課題】
【０００７】
しかしながら、標準ＮＴＳＣ（あるいはＰＡＬ）信号以外の形態のアナログビデオ信号、たとえば水平走査周波数３１．５ｋＨｚのプログレッシブ・アナログコンポーネントビデオ信号、水平走査周波数３３．７ｋＨｚのアナログハイビジョン信号（標準ＮＴＳＣ／ＰＡＬビデオをアップコンバートしたものも含む）、あるいは水平走査周波数３１．５ｋＨｚ以上の高解像度デジタルビデオ信号のアナログ出力に関しては、今のところ適切なアナログコピープロテクトシステムがない。
【０００８】
この発明は、ＮＴＳＣ信号などの標準的ビデオ信号以外の形態のアナログビデオ信号に対応したアナログコピープロテクトシステムを信号処理アダプタとして提供するものである。
【課題を解決するための手段】
【０００９】
この発明の一実施に係る信号処理アダプタは、転送された第１のビデオ信号（例えば図４のＨＹ端子に入力されるビデオ信号）を第２のアナログビデオ信号（例えば図４のＨＤＴＶのアナログコンポーネント入力のＹ端子に入力されるビデオ信号）に変換する回路機能を持つ回路基板（例えば図７のＡＣＰアダプタ基板）と、前記回路基板から前記第２のアナログビデオ信号が供給されるものであってこの第２のアナログビデオ信号を受けるアナログ映像機器のアナログビデオ入力端子（例えば図４のＨＤＴＶのアナログコンポーネント入力のＹ端子、または図１５のシンク機器のアナログコンポーネント信号入力端子）に接着可能なビデオ信号電極（例えば図１５の先割ロッド）と、前記回路基板と前記ビデオ信号電極とを繋ぐ、切断可能なリード線（例えば図１１の切れやすい極細裸銅線）とを具備している。
【発明の効果】
【００１０】
この発明に係る信号処理アダプタを既存映像機器のアナログビデオ入力端子に接着することで、その映像機器を新たなアナログコピープロテクトシステムに対応させることが可能となる。このアダプタを接着相手の端子から無理に外そうとすると、内部のリード線が切れてこのアダプタは機能しなくなる。
【発明を実施するための最良の形態】
【００１１】
以下、図面を参照して、この発明の一実施の形態に係るアナログコピープロテクトシステムを説明する。
【００１２】
図１は、この発明の一実施の形態に係るアナログコピープロテクト（ＡＣＰ）システムを説明する図である。この実施形態では、ビデオ信号がデジタル信号段階でスクランブルされる。
【００１３】
すなわち、ＤＶＤビデオプレーヤなどで再生されたデジタルコンポーネントビデオ信号（たとえばフレーム転送レートが毎秒４８〜６０枚のプログレッシブ信号）Ｓ１０は、エンコード情報（スクランブル情報ＳＩ）に基づき、スクランブラ１００において、スクランブル（エンコード）される。このエンコードは、種々な情報を、スクランブル後のビデオ信号の垂直帰線期間情報ＶＢＩに乗せる処理も含むことができる。
【００１４】
スクランブルされたデジタルコンポーネントビデオ信号（ＶＢＩに種々な情報を含む；図２６、図２７、図２９参照）Ｓ１２は、ＤＡＣ１０２により、対応するアナログコンポーネントビデオ信号に変換される。
【００１５】
ＤＡＣ１０２からのアナログコンポーネントビデオ信号（スクランブルされている）は、スイッチＳＷ１０の接点ｓ（送信）を介して、アナログコンポーネントビデオ（Ｙ／Ｃｂ／Ｃｒ）の出力端子ＨＹ１（ハイブリッドＹ端子１）に導かれる。
【００１６】
図１の構成において、スクランブラ（エンコーダ）１００、ＤＡＣ１０２、後述する認証キー交換部／暗号化キー作成部１０４、スイッチＳＷ１０、および端子ＨＹ１は、ソース機器（ＤＶＤビデオプレーヤなど）側トランスミッタ１０を構成している。
【００１７】
端子ＨＹ１からのアナログコンポーネントビデオ信号Ｓ２０は、信号ケーブル（たとえば３線独立の同軸ケーブルを１本に束ねたコンポーネント接続ケーブル）２０を介して、シンク機器（ＨＤＴＶなど）側レシーバ３０のアナログコンポーネントビデオ（Ｙ／Ｃｂ／Ｃｒ）の入力端子ＨＹ２（ハイブリッドＹ端子２）に送られる。
【００１８】
端子ＨＹ２で受信されたアナログコンポーネントビデオ信号Ｓ２０は、スイッチＳＷ２０の接点ｒ（受信）を介して、デ・スクランブラ３００に供給される。
【００１９】
デ・スクランブラ３００は、供給された信号Ｓ２０のＶＢＩに含まれる認証情報を、認証キー交換部／暗号化キー作成部３０４、スイッチＳＷ２０の接点ｓ（送信）、ケーブル２０、およびトランスミッタ１０のスイッチＳＷ１０の接点ｒ（受信）を介して、認証キー交換部１０４に送る。
【００２０】
ここで、スイッチＳＷ１０、ＳＷ２０の切り替えは、ＶＢＩの転送に同期（つまりビデオフレームに同期）したタイミングで、行うことができる。この切り替えタイミングの間、転送されるＶＢＩ情報は、認証キー交換部／暗号化キー作成部１０４、３０４あるいはエンコーダ１００、デコーダ３００の内部メモリ（図示せず）に、一時保存できる。
【００２１】
トランスミッタ１０の認証キー交換部／暗号化キー作成部１０４は、受信した認証情報および暗号化キーをスクランブラ１００に伝える。この認証情報により相手（レシーバ３０）を確認したスクランブラ１００は、スクランブル解除に用いる暗号キー情報をＶＢＩに乗せ、ケーブル２０を介して、デ・スクランブラ３００に送る。
【００２２】
デ・スクランブラ３００は、送られてきた暗号キー情報に基づいて（場合によっては受信済みの認証情報も併用して）、相手（トランスミッタ１０）側でスクランブルに用いた解読キーを再生し、この解読キーにより、スクランブルされたアナログコンポーネントビデオ信号Ｓ２０をデ・スクランブル（デコード）する。このデコードは、ＶＢＩに乗った種々な情報（図２７の制御コマンドなど）に基づく処理も含むことができる。
【００２３】
ここで、トランスミッタ１０の認証キー交換部／暗号化キー作成部１０４およびレシーバ３０の認証キー交換部／暗号化キー作成部３０４は、端子ＨＹ１および端子ＨＹ２を介してスクランブルを解除するキー情報を交換するキー情報交換手段を構成している。
【００２４】
デ・スクランブラ３００でスクランブルが解除された通常のアナログコンポーネントビデオ信号Ｓ３０は、外部接続部４０を介して、シンク機器（ＨＤＴＶに代表される高解像度マルチスキャンモニタなど）５０の内部回路５００に、供給される。
【００２５】
シンク機器が既存の民生用機種の場合、外部接続部４０は、一般的には３連のＲＣＡタイプピンプラグ（ＤＶＤコンポーネント信号用のＹ／Ｃｂ／Ｃｒまたはハイビジョンコンポーネント信号用のＹ／Ｐｂ／Ｐｒ）で構成される。
【００２６】
一方、シンク機器が既存の教務用機種の場合、外部接続部４０は、ＢＮＣタイプの３〜５連接栓（３つの場合はＹ／Ｃｂ／ＣｒまたはＹ／Ｐｂ／Ｐｒに対応し、５つの場合はＲ／Ｇ／Ｂ／Ｈ同期／Ｖ同期に対応）で構成されることが多い。
【００２７】
あるいは、シンク機器が既存のマルチスキャン型パーソナルコンピュータ用モニタの場合、外部接続部４０は、５連ＢＮＣ接栓、あるいは２〜３列の１５ピン〜２３ピンマルチコネクタで構成されることが多い。
【００２８】
以下では、シンク機器がＲＣＡタイプのプラグを備えた既存の民生用機種の場合を想定して、説明を続ける。
【００２９】
なお、民生機器用の外部接続部４０としては、ＲＣＡタイプピンプラグの他に、Ｓ端子もある。このＳ端子の輝度信号Ｙの回路にこの発明に係る信号（スクランブルされたアナログビデオ信号とＶＢＩ）を乗せることは可能である。しかし、既存のＳ端子はそのままではＹ／Ｃｂ／Ｃｒ（またはＹ／Ｐｂ／Ｐｒ）に対応しないので、説明の複雑化を避けるため、以下ではＳ端子利用の場合の実施形態の説明は省略する。
【００３０】
図１の構成において、デ・スクランブラ（デコーダ）３００、認証キー交換部／暗号化キー作成部３０４、スイッチＳＷ２０および端子ＨＹ２は、シンク機器（ＨＤＴＶなど）側のレシーバ３０を構成している。
【００３１】
そして、このレシーバ３０の機能・構成を組み込んだものが、アナログコピープロテクタＡＣＰとなる。
【００３２】
シンク機器５０が既存のＨＤＴＶ等であり、ＨＹ２端子を備えていない場合は、レシーバ３０はＡＣＰアダプタとして製作され、シンク機器５０の外部接続部（通常はＲＣＡタイプのピンプラグ）４０に堅固に取り付けられる。
【００３３】
あるいは、シンク機器５０が入力インターフェイスボードを備えたマルチスキャンモニタ（またはマルチスキャンプロジェクタ）の場合は、レシーバ（ＡＣＰアダプタ）３０の回路機能は、この入力インターフェイスボード（図示せず）に組み込むことができる。
【００３４】
あるいは、シンク機器５０がＡＶ入力インターフェイスボードを備えたパーソナルコンピュータの場合は、レシーバ（ＡＣＰアダプタ）３０の回路機能は、このＡＶ入力インターフェイスボード（図示せず）に組み込むことができる。
【００３５】
一方、シンク機器５０がこの発明に基づく新機種でありＨＹ２端子を備える場合は、レシーバ（ＡＣＰアダプタ）３０の回路機能は、このシンク機器５０の内部回路基板（図示せず）に組み込むことができる。
【００３６】
既存のＨＤＴＶ等をＨＹ端子に対応させるためのＡＣＰアダプタ（図１ではレシーバ３０）は、シンク機器５０の接続部４０に着脱自在ではまずい。というのは、接続部４０に出ているアナログコンポーネントビデオ信号Ｓ３０はスクランブルが解除されているので、この信号Ｓ３０が不正コピーに使われる恐れがあるからである。
【００３７】
この不正コピーの恐れを取り除くために、以下の方法が考えられる：
（０１）ＡＣＰアダプタのシンク機器（既存のＨＤＴＶなど）５０への取付は、ディーラのサービスマンによるものとする（第三者により録画装置に取り付けられるのを防ぐため）；
（０２）サービスマンが取り付けた後のＡＣＰアダプタは、シンク機器５０から取り外し不可能とする（第三者が無理に取り外そうとすると、ＡＣＰアダプタが物理的あるいは回路機能的に壊れるようにする）。
【００３８】
なお、コンポーネントビデオ入力が１系統しかないシンク機器にＡＣＰアダプタが固定装着された場合、通常のコンポーネントビデオ信号もその入力に接続可能でないと、不都合が生じることがある。
【００３９】
この不都合を取り除くためには、以下の方法が考えられる：
（１１）ＡＣＰアダプタのＨＹ２端子とＲＣＡピンプラグとを、回路インピーダンス、ビデオ信号レベルおよび接続部分の物理サイズに関して、コンパチブルにする；
（１２）通常のビデオ信号（標準画質のビデオ信号；マクロビジョン方式でスクランブルされた信号も含む）がＨＹ２端子に入力された場合、ＡＣＰアダプタはこの通常ビデオ信号をパススルーさせる；
（１３）この発明によるスクランブルが施されたアナログビデオ信号（走査周波数が高い高解像度・高画質のアナログビデオ信号）がＨＹ２端子に入力された場合は、ＡＣＰアダプタはその信号に対して、デ・スクランブル処理（および所定のコマンド処理等）を行なう。
【００４０】
図２は、この発明の実施の形態に係るＡＣＰシステムにおいて、ビデオ信号のブランキングインターバル（垂直帰線期間ＶＢＩ）のライン番号とステータスとの対応関係の一例を説明する図である。
【００４１】
ＶＢＩのライン１０および２７３には、図１のトランスミッタ１０がレシーバ３０にチャレンジする際の送信情報が挿入される。また、ＶＢＩのライン１１および２７４には、図１のトランスミッタ１０へレシーバ３０がレスポンスする際の受信情報が挿入される。
【００４２】
ＶＢＩのライン１０／１１および２７３／２７４の情報は、図１の認証キー交換部／暗号化キー作成部１０４および３０４の間で交換される情報を含むことができる。この情報交換により、トランスミッタ１０は、チャレンジした相手（レシーバ３０；ここではスレーブ）が、自分（トランスミッタ１０；ここではマスター）と接続可能なデバイスであることを確認でき、これによりスクランブル解除を行なう際のキー情報のやり取りができるようになる。
【００４３】
ＶＢＩのライン１２〜２１および２７５〜２８４には、上記デバイス認証／キー交換情報以外のＶＢＩデータ（図２６の（ｃ）〜（ｅ）、図２７の制御コマンド参照）を挿入できる。
【００４４】
このＶＢＩライン１２〜２１および２７５〜２８４のうち、ライン１２〜１９および２７５〜２８２は、通常のアナログビデオ信号の場合は、前述したマクロビジョン方式のアナログコピープロテクト信号（ＡＧＣパルス）に使用されている。しかし、この発明は、マクロビジョン方式ではコピープロテクトできないアナログビデオ信号を想定しているので、ＶＢＩライン１２〜２１および２７５〜２８４は、この発明の制御コマンド等に利用可能となっている。
【００４５】
図３は、この発明の実施の形態に係るＡＣＰシステムにおいて、スクランブル（暗号化）の形式とコンポーネントアナログ信号等に対する処理内容との対応関係の一例を説明する図である。
【００４６】
アナログコンポーネントビデオ信号に対するスクランブル方法は、１種類に限られず、色々考えられる。
【００４７】
まず、タイプ１として、Ｙ／Ｃｂ／Ｃｒのうち、クロマ信号（Ｃｂ／Ｃｒ）だけをランダムに極性反転（位相反転）させるスクランブルがある。
【００４８】
次に、タイプ２として、Ｙ／Ｃｂ／Ｃｒのうち、輝度信号（Ｙ）だけをランダムに極性反転（位相反転）させるスクランブルがある。
【００４９】
次に、タイプ３として、Ｙ／Ｃｂ／Ｃｒの全てをランダムに極性反転（位相反転）させるスクランブルがある。
【００５０】
次に、タイプ４として、Ｙ／Ｃｂ／Ｃｒのうち、輝度信号（Ｙ）とクロマ信号（Ｃｂ／Ｃｒ）をランダムに入れ替えてしまうスクランブルがある。
【００５１】
さらに、タイプｎとして、Ｙ／Ｃｂ／Ｃｒ以外の信号（Ｒ／Ｇ／Ｂ信号、あるいはＳ端子のＹ／Ｃ信号など）をランダムに極性反転しあるいはランダムに入れ替えてしまうスクランブルがある。
【００５２】
あるいは、タイプｎとして、たとえば、本来の水平／垂直同期信号を関係ない別の同期信号とランダムに入れ替えてしまうスクランブルもある。
【００５３】
上記タイプ１〜４（あるいはタイプ１〜ｎ）のランダム反転／ランダム入れ替えの周期（リフレッシュ間隔）は、フレーム毎（たとえば１／６０秒毎）あるいは所定時間毎（たとえばＤＶＤビデオのＶＯＢＵの間隔に対応した０．４〜１．２秒）とすることができる。このリフレッシュ間隔は、固定（たとえば１秒）でもよい。
【００５４】
上記タイプ１〜４（あるいはタイプ１〜ｎ）を識別指定する情報は、図２のＶＢＩのライン１０／１１および２７３／２７４（またはライン１２〜２１および２７５〜２８４の何処か）に挿入することができる。
【００５５】
図４は、この発明の実施の形態に係るＡＣＰシステムが組み込まれたＡＣＰアダプタが、既存のＡＶ機器（図１のシンク機器５０に対応）に対してどのように使われるのかの一例を説明する図である。
【００５６】
図４のＡＶ機器５０としては、通常スキャンレート（１５．７５ｋＨｚ）のＮＴＳＣビデオ入力の他にハイ・スキャンレート（３１．５ｋＨｚ、３３．７ｋＨｚ等）の高解像度ビデオ入力に自動追従する、ＨＤＴＶ、パソコン用マルチスキャンモニタ、マルチスキャンプロジェクタ等がある。
【００５７】
このＡＶ機器（シンク機器）５０のアナログコンポーネントビデオ入力は、たとえば図示するように、縦３連のＲＣＡ型ピン端子（図１の外部接続部４０に対応）で構成されている。
【００５８】
この３連端子のうち、輝度信号（Ｙ）入力部分に、図１のＡＣＰアダプタが（一旦取り付けたら外せないように）堅固に取り付けられる。このＡＣＰアダプタのハイブリッドＹ端子ＨＹ（図１のＨＹ２に対応）に、ソース機器（図１のトランスミッタ１０に対応）からのＹ信号プラグが（着脱自在に）装着される。
【００５９】
図４に示すように、シンク機器５０のＹ入力に一旦取り付けられたＡＣＰアダプタは、それ以後取り外せないようになっており、無理に取り外そうとするとＡＣＰアダプタが破損するように構成されている。この「無理に取り外そうとすると破損する」構成については、図６〜図１５を参照して後述する。
【００６０】
また、ＡＶ機器（ＨＤＴＶ）５０の色差信号（Ｃｂ／Ｃｒ）入力部分に、それぞれ、ソース機器からのＣｂ／Ｃｒ信号プラグが装着される（Ｃｂ／Ｃｒ信号プラグは着脱自在でもよい）。
【００６１】
図４のＡＣＰアダプタは、ＡＣＰ対応のソース機器（ＡＶ機器１０Ａ）からアナログビデオ信号を受け付ける端子（ＨＹ）構造と、シンク機器（ＡＶ機器５０）の入力端子に挿入される端子（ＲＣＡ）構造とを備えている。
【００６２】
上記ソース機器としては、ＡＣＰ対応（ＨＹ端子装備）のＡＶ機器（プログレッシブ・アナログコンポーネントビデオ出力付の新型ＤＶＤビデオプレーヤなど）１０Ａの他に、ＡＣＰ非対応（ＨＹ端子なし）の以下のものが考えられる：
既存のデジタル放送受信機のセットトップボックス（ＳＴＢ）１０Ｂ；
既存のＤＶＤビデオプレーヤ１０Ｃ；
既存のＶＣＲまたはＤＶＣ（アナログコンポーネントビデオ出力付）１０Ｄ。
【００６３】
これら既存のソース機器（ＨＹ端子なし）からスクランブルされたアナログビデオ信号が出力され、このスクランブルされたアナログビデオ信号がＡＶ機器５０に装着されたＡＣＰアダプタに入力されたときは、ＡＣＰアダプタは、このスクランブルされたアナログビデオ信号を、そのままＡＶ機器５０に送り込む。
【００６４】
この場合、ＡＶ機器５０にはスクランブルされたアナログビデオ信号が送り込まれるので、ＡＶ機器（ＨＤＴＶ）５０の画面には正常なビデオ映像は写し出されない。
【００６５】
ただし、このスクランブルが、前述したマクロビジョン方式のアナログコピープロテクトによるものなら、ＡＶ機器（ＨＤＴＶ）５０の画面には正常なビデオ映像が映し出される。しかしこのＡＶ機器５０が民生用ビデオレコーダ（ＶＨＳ等のＶＣＲ）なら、マクロビジョン方式でプロテクトされたビデオ信号の録画は妨害される。
【００６６】
図５は、この発明の実施の形態に係るＡＣＰアダプタに対する給電方法の代表例を説明する図である。
【００６７】
このＡＣＰアダプタは、図１に示すデ・スクランブラ（デコーダ）３００およびその周辺回路を集積したＩＣを内蔵している。このＩＣを稼働させるためには、電源供給が必要となる。
【００６８】
図５では、外部のＡＣ電源アダプタまたはＢＳアンテナ端子を利用して、このＡＣＰアダプタ内ＩＣへ電源供給を行なうようにしている。
【００６９】
すなわち、シンク機器が衛星放送（ＢＳ）対応のＨＤＴＶの場合、そのＢＳアンテナ端子にはＢＳアンテナ給電用に＋１５の電源出力が可能になっている。そこで、ＢＳ対応ＴＶの場合は、この＋１５Ｖを利用するのが最も経済的である。外部ＡＣ電源アダプタは、このようなＢＳアンテナ端子のないシンク機器ＴＶにＡＣＰアダプタを装着する場合に使用する。
【００７０】
また、図４ではＡＣＰアダプタ本体にＨＹ端子およびシンク機器への接続端子構造を備えているが、図５では、ＡＣＰアダプタ本体にＨＹ端子を直接設けていない。その代わり、Ｙ信号用のオスプラグ付同軸ケーブル（ＨＹ端子に電気的に直結）とともに、Ｃｂ／Ｃｒのオス／メスプラグ付同軸ケーブルを、ＡＣＰアダプタから直出ししている。
【００７１】
次に、図６〜図１３を参照して、一旦シンク機器に取り付けた後に外そうとすると破損する構造を持った、ＡＣＰアダプタの製法を説明する。
【００７２】
図６は、回路基板が組み込まれる前のＡＣＰアダプタフレームの構造を例示する断面図である。
【００７３】
ＡＣＰアダプタフレームは、絶縁体円筒状構造を持つ。その円筒状空間内部（図６左側）に、シンク機器側ＲＣＡピン端子の接地側（アース側あるいはコールド側）に圧接する接地用円筒状導体が挿入される。また、その反対側（図６右側）に、ソース機器側ＨＹピン端子の接地側に接触する接地用円筒状導体が取り付けられる。このソース機器側接地用円筒状導体は、シンク機器側接地用円筒状導体と、電気的に接続される構造となっている。
【００７４】
ソース機器側ＨＹピン端子の接地用円筒状導体の内部には、絶縁体を介して、ソース機器側ＨＹピン端子の信号側（ホット側）に接触する信号用センタピン導体が取り付けられる。この信号用センタピン導体は、ＡＣＰアダプタフレームの内部空間中央に突出するように固定される。
【００７５】
このセンタピン導体が突出した内部空間中央にはＡＣＰアダプタフレームの側面から２つの丸孔が貫通している。
【００７６】
図７は、図６のＡＣＰアダプタフレームに、ＡＣＰアダプタ回路基板が取り付けられた状態を例示する断面図である。
【００７７】
図１のレシーバ３０の内部回路その他（安定化電源回路等）が集積されたＩＣは、ＡＣＰアダプタ基板に組み込まれている。この基板からは、図１のアナログビデオ信号Ｓ３０（デ・スクランブルされたアナログビデオ信号）の信号出力回路に繋がる接続チップが、予め導出されている。この基板と接続チップとの間は、切れやすい極細の裸銅線（または極細の金線）で結ばれている。
【００７８】
このようなＡＣＰアダプタ基板にはスルーホールが設けられており、このスルーホールに図６のセンタピン導体を通し、基板の信号回路パターンにセンタピン導体を半田付け（または導電性接着材で固定）する。また、基板の接地回路がＨＹピン端子の接地側に電気的に繋がるように、基板の接地回路パターンを接地用円筒状導体の一部に半田付け（または導電性接着材で固定）する。
【００７９】
なお、回路基板の接地回路と接地用円筒状導体の一部との電気的接続には、信頼性が確保できるなら、導電性シートを用いてもよい。
【００８０】
以上の作業は、基板から引き出された切れやすい極細線が誤って断線するのを防ぐために、接続チップをアダプタフレームの上側丸孔に逃がしてから、注意深く行うとよい。
【００８１】
図８は、図７のＡＣＰアダプタフレームに、外部給電コネクタの受け部分（レセプタクル）が取り付けられた状態を例示する断面図である。
【００８２】
アダプタフレームの下側丸孔には、給電コネクタのレセプタクルが、圧入され接着される（またはタッピングスクリューが刻まれたレセプタクルがねじ込まれる）。このレセプタクルの外周（「ー」給電用）は、ＨＹピン端子の接地側に電気的に接触するようになっている。また、このレセプタクルの中央電極（「＋」給電用）は、適当な配線導体を介して、基板の電源回路パターンに半田付け（または導電性接着材で固定）される。このレセプタクルに図５の給電プラグを差し込むことにより、ＡＣＰアダプタ基板が電源供給を受け、作動できるようになる。
【００８３】
図９は、図８のＡＣＰアダプタフレームに、信号コネクタのセンタピンを絶縁支持するための絶縁体カラーが取り付けられた状態を例示する断面図である。
【００８４】
このカラーは、通常の接着材では強固な接着ができないテフロン（登録商標）などで作られる。このカラーの外径は、シンク機器側（図９の左側）の円筒状導体内部にきつく圧入されるようなサイズとなっている。挿入されるカラーは、圧入だけでは機械的強度が不足するなら、周囲にネジ溝を切ってねじ込むか、特殊な接着材（テフロン対応）で固定される。
【００８５】
このカラーの中央には、センタピン導体（図１０で説明する）が緩く挿通される、段付孔が設けられている。
【００８６】
図１０は、図９のＡＣＰアダプタフレームの絶縁体カラーに、シンク機器側（図９の左側）用の信号コネクタのセンタピンが挿通された状態を例示する断面図である。
【００８７】
このセンタピン導体の図面左側は、シンク機器側の入力端子にきつく挿入されるように、太めの先割れ細長樽型形状を持つ。
【００８８】
一方、このセンタピン導体の図面右側は、絶縁体カラーの中央孔に緩く挿通されるように、細目のストレート丸棒状に仕上げてある。このセンタピン導体は、絶縁体カラーに対しては、圧入も接着もねじ込みもしてはならない。
【００８９】
なお、絶縁体カラーに「強固な接着ができないテフロン」を例示した理由は、図面左側から接着材が流し込まれ、センタピン導体が絶縁体カラーに強固に固定されることを防ぐためである（正規のサービスマンでない第三者がＡＣＰアダプタをシンク機器に取り付ける場合に、このような接着材流し込みの恐れがある）。
【００９０】
図１１は、図１０のＡＣＰアダプタフレームの信号コネクタセンタピンに、ＡＣＰアダプタ回路基板から引き出された極細導線（切れやすい裸銅線あるいは切れやすい金線）が接続された状態を例示する断面図である。
【００９１】
基板から引き出された極細銅線の先端の接続チップは、絶縁体カラーに緩く挿入されたセンタピン導体の右側の切り欠き部に、（極細銅線を切らないよう注意しながら）半田付け（または導電性接着材で固定）される。
【００９２】
この半田付け（または導電性接着材固定）の作業終了後、基板からセンタピン導体までの極細銅線のたるみを取るためにこの極細銅線を（切らないよう注意しながら）ツイストし、極細銅線のツイスト部分をＡＣＰアダプタフレームの上側孔内部に残す（極細銅線の長さを短か目に設定し、このツイスト処理を省略する場合もあり得る）。
【００９３】
図１２は、図１１のＡＣＰアダプタフレームの極細導線（切れやすい裸銅線等）のたるみ部分とともに極細導線の取付作業孔を樹脂封止した状態を例示する断面図である。
【００９４】
また、図１３は、図１２のＡＣＰアダプタフレームの樹脂封止と同時に、それまでの作業中露出していた基板部分その他をキャップで接着（または溶着）封止した状態を、信号コネクタピンの側からみた状態を例示する図である。
【００９５】
この樹脂封止の第１の目的は、ＡＣＰアダプタがシンク機器から取り外されたときに、センタピン導体に半田付け（または接着）された接続チップからの極細銅線が、より切れやすくすることである。
【００９６】
また、この樹脂封止の第２の目的は、ＡＣＰアダプタがシンク機器から取り外されたあと、第三者がＡＣＰアダプタを分解（図１３のキャップ部分を無理にはぎ取るなど）し、センタピン導体を再びアダプタに接続・固定して修理しようと試みた場合に、その試みを失敗させることである。すなわち、図１３のキャップ部分が強引にはぎ取られると、ツイストした極細線を内包する樹脂封止部もキャップとともに一緒に剥がれる方向にストレスを受ける。このストレスにより、樹脂封止部と基板との間の極細銅線が切断される。
【００９７】
上記第三者によるアダプタ修理の試みをより確実に失敗させるために、図１２の基板〜樹脂封止部分の極細銅線回りも樹脂などで封止しておいて、この部分を利用した配線復活作業を困難にすることも有効である。
【００９８】
また、基板〜樹脂封止部分の極細銅線回りとともに基板の一部も樹脂などで封止しておけば、キャップを強引に剥がしたときのストレスで基板自体を破損させることも可能である。
【００９９】
なお、図６〜図１３の説明では、ＡＣＰアダプタフレームが縦割りされ、製造作業の最終段階（図１３）でキャップ封止を行なう場合を説明したが、別の製造方法もある。
【０１００】
すなわち、初めから円筒状のＡＣＰアダプタフレーム（図１３のキャップが初めからフレームと一体化されている）を用意し、図１１の段階で、ピンセット等を用いて、接続チップをセンタピン導体の切り欠き部に、導電性接着材などで接着する方法である。この方法では、フレーム上側の丸孔が接続チップの接着作業をする際にピンセットが通る空間となる。この製法を用いた場合も、作業終了後、フレーム上側の丸孔を樹脂（または絶縁性の接着材）などで封止したほうがよい。
【０１０１】
図１４は、図６〜図１３のプロセスで作成されたＡＣＰアダプタがシンク機器（ＨＤＴＶ等）の入力端子に装着され、かつこのＡＣＰアダプタにソース機器（ＤＶＤプレーヤ等）からのピンプラグが挿入された状態を例示する断面図である。
【０１０２】
ＡＣＰアダプタをシンク機器の入力端子に強固に固定するため、正規ディーラのサービスマンなどにより、以下の作業が行われる：
（２１）ＡＣＰアダプタのシンク機器側プラグの構造部分うち、シンク機器の入力端子に接触する部分に、強力な接着材（あるいは強力な両面接着テープ）を付ける；
（２２）強力な接着材（あるいは強力な両面接着テープ）を付けたあと、ＡＣＰアダプタの先割れ太めセンタピン導体を、シンク機器の入力端子の信号ホット側受け孔に、強く挿入する（シンク機器の入力端子のホット側受け電極は多少のバネ性を持つので、この挿入で破損することはない）。このとき、接着材（あるいは両面接着テープ）は、シンク機器の入力端子対抗面に接触（または圧接）する。
【０１０３】
両面テープ利用なら直ちにアダプタの固定は完了するが、接着材利用の場合は、しばらく時間がかかる（もっとも、接着材が固まる前にＡＣＰアダプタを引き抜くと、先割れ太めセンタピン導体がシンク機器の入力端子に残留し、アダプタ内部の極細銅線が断線しするので、この引き抜きはしないよう厳重注意する）。
【０１０４】
（２３）取付後のＡＣＰアダプタのＨＹ入力端子に対して頻繁にピンプラグの抜き差しがなされる可能性がある場合は、ＡＣＰアダプタとシンク機器入力端子との間の機械的結合強度が強くないと、抜き差しの最中に事故的にＡＣＰアダプタが外れ、内部の極細銅線が切れて、使用不能になる恐れがある。
【０１０５】
この恐れを取り除くために、図１４では、ＡＣＰアダプタフレームの外周に金属締め付けバンドを設けている。このバンドは、シンク機器入力端子の接地側突出部分を内部中心に喰わえたＡＣＰアダプタフレームの外周を、シンク機器入力端子の接地側突出部分とともに締め付けるものである。
【０１０６】
このバンドの具体的な構造は色々考えられるが、たとえば、家庭のガス栓に挿入されたゴムホースが抜けるのを防止する金属バンド（クリップ）と同様の構造でもよい。
【０１０７】
あるいは、多少コストアップにはなるが、ＡＣＰアダプタプラグの金属締め付けバンド部分にコレットチャック構造を採用し、コレットチャックによる締め付けを、アダプタ取り付け強度の強化に利用てもよい。
【０１０８】
なお、図６〜図１４の例ではＡＣＰアダプタフレーム（ユーザの指に触れる部分）をプラスチック等の絶縁体で作る場合を想定したが、このフレームをねじ込み式の筒状金属とし、ねじ込み後にこの筒状金属をＡＣＰアダプタのＨＹ端子の接地側金属に溶接（あるいは強固に接着）するような構造も、可能である。
【０１０９】
図１５は、図１４のようにシンク機器に装着されたＡＣＰアダプタがシンク機器から強引に取り外された場合に、ＡＣＰアダプタの内部信号線が断線した様子を例示する断面図である。
【０１１０】
ここでは、ＡＣＰアダプタの先割れセンタピン導体が、シンク機器の入力端子への接着固定部分に残留し、このセンタピン導体のアダプタ内部側に取り付けられた接続チップとアダプタ内部の樹脂封止部に固定された極細銅線との間で、断線が生じた場合を、例示している。
【０１１１】
なお、極細銅線がアダプタ内部の樹脂封止部に固定されず、この極細銅線が機械的に丈夫な場合は、図１５のようなアダプタ取り外し状態で、ＡＣＰアダプタ基板がアダプタ内部から機械的に剥がれて、基板とアダプタフレームの信号回路（信号ホットおよび／または接地回路）との間で電気的切断が生じるようにしてもよい（この例の場合、基板をアダプタ内部に接続・固定する手段として、剥がれが起きやすい導電性接着シートを利用できる）。
【０１１２】
あるいは、図１５のようなアダプタ取り外し状態で、ＡＣＰアダプタ基板がアダプタ内部から機械的に剥がたときに、基板に加わる機械的な歪みなどにより基板上のＩＣの一部のピンが折れたり、あるいはＩＣピンが基板の回路パターンから剥がれるようにしてもよい。
【０１１３】
あるいは、図１５のようなアダプタ取り外し状態で、極細銅線の断線による回路状態の変化（たとえば極細銅線の信号回路インピーダンスが５０Ω〜７５Ωから数ｋΩ以上〜無限大Ωへ）を検出し、この変化が生じたらそれ以後機能停止するように基板上のＩＣの内部回路を構成しておいてもよい（この例の場合、サービスマンが初めてＡＣＰアダプタをシンク機器に取り付けたあと、ＩＣの機能停止回路が作動するように、初期化操作を行なう）。
【０１１４】
あるいは、図１５のようなアダプタ取り外し状態で、基板上のＩＣが電気的に（瞬間的な高圧パルスなどで）破壊されるように構成しておいてもよい）。
【０１１５】
以上の説明は、ＡＣＰアダプタに接続される相手側シンク機器がＲＣＡタイプのピンプラグを装備している場合のものである。
【０１１６】
シンク機器が既存の民生用機種の場合、外部接続部４０は、一般的には３連のＲＣＡタイプピンプラグ（ＤＶＤコンポーネント信号用のＹ／Ｃｂ／Ｃｒまたはハイビジョンコンポーネント信号用のＹ／Ｐｂ／Ｐｒ）で構成される。
【０１１７】
一方、シンク機器が既存の教務用機種の場合、外部接続部４０は、ＢＮＣタイプの３〜５連接栓（３つの場合はＹ／Ｃｂ／ＣｒまたはＹ／Ｐｂ／Ｐｒに対応し、５つの場合はＲ／Ｇ／Ｂ／Ｈ同期／Ｖ同期に対応）で構成されることが多い。
【０１１８】
あるいは、シンク機器が既存のマルチスキャン型パーソナルコンピュータ用モニタの場合、外部接続部４０は、５連ＢＮＣ接栓あるいは２〜３列の１５ピン〜２３ピンマルチコネクタで構成されることが多い。
【０１１９】
もし、接続相手のシンク機器がＢＮＣ接栓を備えたものであるときは、このＢＮＣ接栓のオスプラグのセンタピンが抜け落ちて、抜け落ちたピンが図１５のようにシンク機器側に残留するようにすればよい。
【０１２０】
また、接続相手のシンク機器が１５ピン〜２３ピンＲＧＢモニタ用コネクタを備えたものであるときは、このコネクタの接続ピンのうち、Ｒ、Ｇ、Ｂ、Ｖ同期、および／またはＨ同期の接続ピンのいずれか１以上が抜け落ちて、抜け落ちたピンが図１５のようにシンク機器側に残留するようにすればよい。
【０１２１】
ＡＣＰアダプタがシンク機器から強引に取り外された場合の要件と解決策は、たとえば次のようになる：
（要件１）ＴＶモニタなしでのアダプタ接続（つまりＴＶモニタ以外のＶＣＲ等への接続）は禁止；
（対策１）アダプタの取り付けは、正規ディーラのサービスマンその他の有資格者に限る。
【０１２２】
（要件２）取付済みのアダプタが外されると破壊（断線はその一例）；
（対策２））取付済みのアダプタが外されるとアダプタ内部で断線あるいはＩＣの機能停止が起きる。
【０１２３】
図１６は、この発明の他の実施の形態に係るアナログコピープロテクト（ＡＣＰ）システムを説明する図である。この実施形態では、ビデオ信号がアナログ信号段階でスクランブルされる。
【０１２４】
すなわち、ＤＶＤビデオプレーヤなどで再生されたデジタルコンポーネントビデオ信号（たとえばフレーム転送レートが毎秒４８〜６０枚のプログレッシブ信号）Ｓ１０は、ＤＡＣ１０２Ａにより対応するアナログコンポーネントビデオ信号Ｓ１４に変換される。
【０１２５】
このアナログ信号Ｓ１４は、スクランブルキー発生部１０４Ａからのエンコード信号（スクランブル情報）ＳＥに基づいて、スクランブラ１００Ａにおいて、スクランブル（エンコード）される。
【０１２６】
スクランブルされたアナログコンポーネントビデオ信号は、スイッチＳＷ１１の接点１（送信）を介して、アナログコンポーネントビデオ（Ｙ／Ｃｂ／Ｃｒ）の出力端子ＨＹ１（ハイブリッドＹ端子１）に導かれる。
【０１２７】
端子ＨＹ１からのアナログコンポーネントビデオ信号Ｓ２０は、信号ケーブル（３線独立の同軸ケーブルを１本に束ねたコンポーネント接続ケーブル）２０を介して、シンク機器（ＨＤＴＶなど）側レシーバ３０のアナログコンポーネントビデオ（Ｙ／Ｃｂ／Ｃｒ）の入力端子ＨＹ２（ハイブリッドＹ端子２）に送られる。端子ＨＹ２で受信されたアナログコンポーネントビデオ信号Ｓ２０は、スイッチＳＷ２１の接点１（受信）を介して、デ・スクランブラ３００Ａに供給される。
【０１２８】
一方、スクランブルキー発生部１０４Ａからのエンコード信号（スクランブル情報）ＳＥは、スイッチＳＷ１１の接点２（送信）を介して、端子ＨＹ１に導かれる。
【０１２９】
端子ＨＹ１からのエンコード信号（スクランブル情報）ＳＥは、信号ケーブル２０を介して、シンク機器（ＨＤＴＶなど）側レシーバ３０の端子ＨＹ２に送られる。端子ＨＹ２で受信されたエンコード信号（スクランブル情報）ＳＥは、スイッチＳＷ２１の接点２（受信）を介して、スクランブルキー受信部３０４Ａに供給される。
【０１３０】
スクランブルキー受信部３０４Ａは、供給されたエンコード信号（スクランブル情報）ＳＥに対応したデコード信号（スクランブルを解除するキー情報）ＤＥを、デ・スクランブラ３００Ａに供給する。
【０１３１】
デ・スクランブラ３００Ａは、供給されたデコード信号（スクランブル解除キー）ＤＥを一時記憶し、記憶したデコード信号ＤＥの内容（デコード情報）に基づいて、ソース機器側のスクランブラ１００Ａから送られてくるスクランブルされたアナログコンポーネントビデオ信号Ｓ２０を、デ・スクランブル（デコード）する。
【０１３２】
ここで、スイッチＳＷ１１、ＳＷ２１の切り替えは、ビデオ信号Ｓ２０の垂直帰線期間に同期（つまりビデオフレームの転送に同期）したタイミングで、行うことができる。この切り替えタイミングの間、転送されるエンコード信号（スクランブル情報）は、スクランブルキー受信部３０４Ａあるいはデ・スクランブラ３００Ａの内部メモリ（図示せず）に、一時保存できる。
【０１３３】
デ・スクランブラ３００でスクランブルが解除された通常のアナログコンポーネントビデオ信号Ｓ３０は、一旦取り付けたら外せない外部接続部４０を介して、シンク機器（ＨＤＴＶに代表される高解像度マルチスキャンモニタなど）５０の内部回路５００に、供給される。
【０１３４】
図１７は、図１６のＡＣＰシステムにおいて、エンコーダ（アナログコンポーネント信号のスクランブラ）の構成例を説明する図である。
【０１３５】
まず、スクランブルキー発生部１０４Ａからのエンコード信号ＳＥが、スクランブラ１００Ａ内の乱数発生部１００２に、乱数発生の初期値として、入力される。乱数発生部１００２では、入力された初期値（ＳＥ）を基に、水平帰線期間あるいは垂直帰線期間（ＶＢＩ）のタイミングにあわせて、Ｍ系列の乱数発生器内で、乱数（スクランブル情報あるいは暗号化キー情報を作る基になるもの）が発生される。発生された乱数は、スクランブラ１００Ａ内のエンコード情報記憶部１００４に供給される。
【０１３６】
エンコード情報記憶部１００４は、たとえば６ビット（ａ〜ｆ）のシフトレジスタおよび６個のラッチ（フリップフロップ回路）で構成できる。このシフトレジスタに乱数がビットシフトしながら読み込まれたあと、読み込まれた情報（０／１）のビット列がラッチされる。
【０１３７】
このラッチのタイミングは、たとえばＶＢＩの転送タイミング（または垂直同期信号のタイミング）と同じでよい。この場合、シフトレジスタの内容は、ＶＢＩの転送周期で変化できる。
【０１３８】
あるいは、乱数発生が水平走査を基準になされるときは、このラッチのタイミングを、水平走査のタイミング（または水平同期信号のタイミング）に合わせてもよい。この場合、シフトレジスタの内容は、ＶＢＩ内のライン番号切替周期で変化できる。
【０１３９】
エンコード情報記憶部１００４にラッチされたビット列（ａ〜ｆ）は、スクランブル情報（暗号化キー情報）として、スクランブラ１００Ａ内のアナログコンポーネントビデオ信号切替／反転処理部１００６に供給される。
【０１４０】
信号切替／反転処理部１００６には、スクランブルされていない（暗号化あるいはエンコードされていない）アナログコンポーネントビデオ信号Ｓ１４が、入力される。
【０１４１】
信号切替／反転処理部１００６は、そのときにエンコード情報記憶部１００４にラッチされているビット列（ａ〜ｆ）に基づいて、アナログコンポーネントビデオ信号Ｓ１４のＹ／Ｃｂ／Ｃｒの切替（入れ替え）および／または極性反転（位相反転）を行なうことで、信号Ｓ１４をスクランブルする（信号切替／反転処理部１００６の具体例は図２３を参照して後述する）。
【０１４２】
こうしてスクランブルされたアナログコンポーネントビデオ信号Ｓ２０は、スイッチ回路ＳＷ１１を介して、ＨＹ１端子に送られる。
【０１４３】
また、スクランブル情報（暗号化キー情報）であるビット列（ａ〜ｆ）は、信号Ｓ２０の垂直帰線期間（ＶＢＩ）にスイッチＳＷ１１により選択され、ＶＢＩの情報の一部として、ＨＹ１端子に送られる。
【０１４４】
図１７の構成において、エンコード情報記憶部１００４からアナログコンポーネントビデオ信号切替／反転処理部１００６へ転送される６本の信号（ａ〜ｆ）は、アナログビデオ入力（Ｓ１４）の水平走査線のタイミングに合わせ、アナログビデオ信号の走査線毎（水平走査毎または垂直走査毎）に切り替わるが、アナログビデオ信号の各走査線内では、一定の値に保たれるようになっている。
【０１４５】
アナログコンポーネントビデオ信号切替／反転処理部１００６では、エンコード情報記憶部１００４からの情報（ａ〜ｆ）に合わせて、アナログビデオ信号の各走査線毎に、輝度Ｙ信号、色差Ｕ信号（あるいはＣｒ信号）、色差Ｖ信号（あるいはＣｂ信号）間の極性反転および／または信号の入れ替えを行い、アナログビデオ信号情報の暗号化（スクランブル・エンコード）を行っている。
【０１４６】
こうして暗号化されたアナログビデオ信号情報（Ｓ２０）が、スイッチ回路ＳＷ１１を介してＨＹ１端子へ転送される。
【０１４７】
図１８は、図１６のＡＣＰシステムにおいて、デコーダ（アナログコンポーネント信号のデ・スクランブラ）の構成例を説明する図である。
【０１４８】
トランスミッタ１０から送られてきたアナログコンポーネントビデオ信号（スクランブルされている）Ｓ２０およびその垂直帰線期間の情報ＶＢＩは、ＨＹ２端子を介して、スイッチＳＷ２１に入力される。
【０１４９】
スイッチＳＷ２１において、ＶＢＩのタイミングで、信号Ｓ２０の映像情報部分（Ｙ／Ｃｂ／Ｃｒ）とＶＢＩ部分とが切り分けられる。
【０１５０】
スイッチＳＷ２１により切り分けられたＶＢＩに含まれるデコード信号ＤＥの情報（エンコードに用いたビット列ａ〜ｆに対応）は、デ・スクランブラ３００Ａのデコード情報記憶部３００４に取り込まれ、次の信号ＤＥが送られてくるまで一時記憶される。
【０１５１】
また、スイッチＳＷ２１により切り分けられた信号Ｓ２０の映像情報部分（Ｙ／Ｃｂ／Ｃｒ）は、デ・スクランブラ３００Ａのアナログコンポーネント信号切替／反転処理部３００６に入力される。
【０１５２】
信号切替／反転処理部３００６では、記憶部３００４に一時記憶されたデコード情報（エンコードに用いたビット列ａ〜ｆ）に基づいて、スクランブルされたアナログコンポーネントビデオ信号Ｓ２０の映像情報部分（Ｙ／Ｃｂ／Ｃｒ）が、元の信号形態にデコード（デ・スクランブル）される（信号切替／反転処理部３００６の具体例は図２４を参照して後述する）。
【０１５３】
こうしてデ・スクランブル（デコード）されたアナログコンポーネントビデオ信号が、一旦接続したら外せない外部接続部４０を介して、図１６のシンク機器５０に供給される。
【０１５４】
図１９は、この発明のさらに他の実施の形態に係るアナログコピープロテクト（ＡＣＰ）システム（スクランブル／デ・スクランブルだけでなくコマンド処理も含む構成）を説明する図である。この図は、この発明が適用されたアナログ信号情報処理機器が複数台接続されて構成された伝送システムを示している。
【０１５５】
このシステムにおいて、図２０はアナログ信号情報伝送部１００８の内部構成を例示する図であり、図２１はアナログ信号情報伝送部２００８の内部構成を例示する図であり、図２２はアナログ信号情報伝送部２０２８の内部構成を例示する図である。
【０１５６】
図１９において、アナログ信号情報処理装置１０００は、不正コピーなどから保護したいアナログ映像信号を送信するキー局である。このキー局としては、たとえばケーブルＴＶ放送局、あるいは無線（地上放送あるいは衛星放送）ＴＶ放送局がある。
【０１５７】
ここで、アナログ信号情報処理装置１０００は、図１のトランスミッタ１０に対応させることができる。
【０１５８】
また、アナログ信号情報処理装置２０００は、ＴＶ受信器あるいはＳＴＢ（セットトップボックス）に画面表示用ＴＶを一体化した機器を示す。
【０１５９】
ここで、アナログ信号情報処理装置２０００は、部分的には、図１のレシーバ３０に対応させることができる。
【０１６０】
さらに、アナログ信号情報情報処理装置３０００は、録画再生可能な光ディスク装置（たとえばＤＶＤリアルタイム録画装置）あるいはＶＣＲ（ビデオカセットレコーダ）／ＤＶＣ（デジタルビデオカセット）等の、アナログ信号入力を備えた記録装置を示す。このアナログ信号情報処理装置３０００内では、暗号化（スクランブル）されたままのアナログ信号がそのまま記録される。
【０１６１】
アナログ信号情報処理装置２０００にはさらに、アナログ信号情報伝送経路Ｌ２０００を介して、他のアナログ信号情報処理装置４０００および４０００が、接続されている。
【０１６２】
ケーブルＴＶ送信局あるいは無線ＴＶ放送局であるアナログ信号情報処理装置１０００内では、アナログ映像信号発生器１００２から放送すべき映像信号が取り出され、アナログ信号暗号化部１００４で暗号化（エンコード）されて、アナログ信号・コマンド情報合成部１００６へ転送される。
【０１６３】
ここで、アナログ信号暗号化部１００４（および後述する２００４）は、図１のスクランブラ１００あるいは図１６〜図１７のスクランブラ１００Ａに対応させることができる。
【０１６４】
この時の暗号化に用いられる暗号キー情報は、暗号キー情報生成部１０１２で生成される。同時に、ここで作成した暗号キー情報から、アナログ信号情報処理装置２０００内でアナログ信号のキー解読（復号化／デコード）を行うために必要な情報が、暗号キー情報生成部１０１２で作成され、コマンド情報処理部１０１０に転送される。
【０１６５】
コマンド情報処理部１０１０では、転送されてきた上記キー解読（復号化／デコード）に必要な情報が、伝送するためのコマンド形式に変換される。ここで作成されたコマンド情報は、アナログ信号・コマンド情報の合成部１００６内で、先に暗号化されたアナログ映像信号情報と時間軸上で合成される。
【０１６６】
暗号化されたアナログ映像信号情報とコマンド情報が合成された情報は、アナログ信号情報伝送部１００８内のアナログ信号送信部１００８Ｂ（図２０）を経由して、送受信切替部１００８Ｃ（図２０）からアナログ信号情報伝送経路Ｌ１０００へ送られる。そして、アナログ信号情報処理装置２０００へ配送される。
【０１６７】
ここで、送受信切替部１００８Ｃ（図２０）は、図１のＳＷ１０あるいは図１７のＳＷ１１に対応させることができる。
【０１６８】
アナログ信号情報伝送経路Ｌ１０００とは、有線の場合にはＣＡＴＶなどの光ケーブルであったり、同軸ケーブルであったりする。また、無線の場合には、アナログ信号情報伝送経路Ｌ１０００は、地上放送波もしくは衛星放送波などの無線放送経路になる。
【０１６９】
このアナログ信号情報伝送経路Ｌ１０００は双方向の通信経路になっている。
【０１７０】
送受信切替部１００８Ｃ（図２０）は、時分割により、アナログ信号情報伝送経路Ｌ１０００に対する送信系と受信系を、適宜切り替え可能に構成されている。
【０１７１】
すなわち、送信時にはアナログ信号送信部１００８Ｂ（図２０）から転送されたアナログ信号情報がアナログ信号情報伝送経路Ｌ１０００に送信され、受信時にはアナログ信号情報伝送経路Ｌ１０００を介して返送されてきたコマンド関連情報がコマンド情報抽出部１００８Ａ（図２０）に転送される。
【０１７２】
コマンド情報抽出部１００８Ａでは、送受信切替部１００８Ｃ（図２０）から送られた情報内容を理解してコマンドに対する戻り値（ステータス）を抽出したり、アナログ信号情報処理装置２０００から送られてくるコマンド内容とそのパラメーターを解釈してその結果をコマンド情報処理部１０１０へ転送したりする。
【０１７３】
図１９のコマンド情報処理部１０１０では、コマンド情報抽出部１００８Ａ（図２０）から送られてくる情報を基に、アナログ信号情報処理装置２０００側の現在の状況（ステータス）やアナログ信号情報処理装置２０００からの要求内容（コマンド）に応じて、処理を行う。
【０１７４】
その処理状況に応じて、必要となれば、アナログ信号情報処理装置２０００に対して新たなコマンドを作成し、そこで作成したコマンド情報を、アナログ信号・コマンド情報合成部１００６でアナログ信号情報に合成し、アナログ信号送信部１００８Ｂ（図２０）および伝送線路Ｌ１０００を経由して、アナログ信号情報処理装置２０００に伝送する。
【０１７５】
このコマンド情報のやり取りの一つとして、アナログ信号情報処理装置間の相互認証処理や暗号解読に用いられる暗号キーに関する関連情報の交換が行なわれる。
【０１７６】
アナログ信号情報伝送経路Ｌ１０００を介して伝送される暗号化されたアナログ映像信号情報とコマンド情報は、アナログ信号情報処理装置２０００のアナログ信号情報伝送部２００８に入力される。
【０１７７】
前述したように、アナログ信号情報伝送経路Ｌ１０００は双方向伝送が可能であり、アナログ信号情報処理装置２０００からの送信情報は、コマンド情報挿入部２００８Ｄ（図２１）およびアナログ信号情報伝送経路Ｌ１０００を経由して、アナログ信号情報処理装置１０００に転送できる。その際の送受信の切り替えは、送受信切替部２００８Ｃ（図２１）により行われる。
【０１７８】
アナログ信号情報処理装置２０００側での受信情報からは、アナログ信号情報抽出部２００８Ｅ（図２１）により暗号化されたアナログ信号情報が抽出され、コマンド情報抽出部２００８Ａ（図２１）によりコマンド情報が抽出される。
【０１７９】
ここで抽出された受信側のコマンド情報は、コマンド処理部２０１０で解読される。アナログ信号情報処理装置１０００に対する返答コマンドや以前に送られたコマンドに対する戻り値（ステータス）を返信する必要が生じた場合には、その情報は、コマンド情報処理部２０１０からコマンド情報挿入部２００８Ｄ（図２１）へ送られ、送受信切替部２００８Ｃ（図２１）およびアナログ信号情報伝送経路Ｌ１０００を経由して、アナログ信号情報処理装置１０００へ返送される。
【０１８０】
暗号化されたアナログ映像情報信号の暗号解読（デコード）をする前に、たとえばアナログ信号方法処理装置１０００、２０００相互間で共通の暗号キーを共有化するために必要な相互認証を行なうときには、アナログ信号情報処理装置１０００、２０００の間で複数回に渡り双方向でのコマンド交換処理が必要となる。
【０１８１】
アナログ信号情報処理装置２０００内の暗号キー情報生成部２０１２で暗号キーが作成されると、この暗号キーを利用して、アナログ信号の復号化部（暗号解読部）２０１４において、アナログ信号情報抽出部２００８Ｅ（図２１）からの暗号化されたアナログ映像信号情報が復号化／デコード（暗号解読）される。
【０１８２】
こうして復号化（暗号解読）がなされたアナログ映像信号情報は、アナログ映像情報表示部２０１６（通常のＮＴＳＣ信号あるいはＰＡＬ信号などのビデオ映像を表示するＣＲＴディスプレーあるいは液晶ディスプレー）において、表示される。この表示部２０１６は、図１６でいえばシンク機器５０のモニタに対応させることができる。
【０１８３】
なお、図１９におけるアナログ信号の暗号解読部（デコーダ）２０１４とアナログ信号の暗号化部（エンコーダ）２００４の内部は、基本的に、同様に構成できる。すなわち、暗号化部（エンコーダ）２００４は、たとえば図１７のスクランブラ（エンコーダ）１００Ａに示すように構成できる。また、アナログ信号の暗号解読部（デコーダ）２０１４は、たとえば図１８のデ・スクランブラ（デコーダ）３００Ａに示すように構成できる。
【０１８４】
さらに、図１９のアナログ信号情報伝送部２０２８は、図２０と図２２を比較すれば分かるように、同様な内部構成を持っている。このアナログ信号情報伝送部２０２８の内部構成については、図２５のフローチャートの説明箇所で触れることにする。
【０１８５】
図１９に示したアナログ信号情報処理装置におけるコマンド情報に関して、以下の特徴がある：
（３１）映像信号情報の垂直基線消去期間（ＶＢＩ）にコマンド情報を伝送できる；
（３２）映像信号情報の垂直基線消去期間内の各１本（各ライン）毎の走査線期間に１個のコマンド情報を伝送できる；
（３３）映像信号情報の垂直基線消去期間内で、走査線期間毎に、全く同一内容のコマンド情報（コマンド内容とコマンドパラメーター内容）を複数回伝送することができる；
（３４）文字信号多重期間（垂直基線消去期間内の第１４〜１６番目および第２１番目の走査ライン）にはコマンド情報は伝送しない；
（３５）コマンドに対する戻り値も同一のコマンド形式で返送する；
ここで、コマンドパラメーターにより、送信側（コマンド発行者）からの伝送系と返信側（戻り値回答者）からの伝送系の識別を行う；
（３６）映像信号情報の垂直基線消去期間内において、コマンド伝送可能期間内のコマンド送信利用者の割り振りについては、Ｓｌｏｔ_ＩＤ作成開始宣言者が、Ｓｌｏｔ_ＩＤ作成開始宣言を行った後の特定期間の間、割り振り決定する権利を持つ。
【０１８６】
図２３は、図１６〜図２２のＡＣＰシステムにおいて、アナログ信号の暗号化（コンポーネント信号の切替／反転処理）と暗号キー（スクランブルキー；エンコード情報）との関係の一例を説明する図である。
【０１８７】
いま、図１７のアナログコンポーネントビデオ信号切替／反転処理部１００６が図２３のように構成されているとする。
【０１８８】
この場合、スクランブルされていない元のアナログコンポーネントビデオ信号Ｓ１４の輝度Ｙ、色差Ｕ（Ｃｂ）および色差Ｖ（Ｃｒ）は、それぞれ、図２３の端子Ｔ１１〜Ｔ１３に供給される。これらの端子に供給された輝度Ｙ、色差Ｕ（Ｃｂ）および色差Ｖ（Ｃｒ）の各信号成分は、インバータ（極性反転回路）ＩＮＶ１１〜ＩＮＶ１３により極性反転される。このような輝度Ｙ、色差Ｕ（Ｃｂ）、色差Ｖ（Ｃｒ）およびそれらの極性反転信号は、図２３のスイッチ回路を介して、端子Ｔ２１〜Ｔ２３に導かれる。
【０１８９】
図２３の各スイッチの選択状態は、６つのビット列ａ〜ｆのセットで構成される暗号化キー情報により、決定される。このビット列ａ〜ｆにより、各スイッチの選択状態が、たとえば図示の点線状態にあれば、端子Ｔ１１のＹ信号は端子Ｔ２３（仮のＶ端子）に導かれ、端子Ｔ１２のＵ（Ｃｂ）信号は端子Ｔ２１（仮のＹ端子）に導かれ、端子Ｔ１３のＶ（Ｃｒ）信号は端子Ｔ２２（仮のＵ端子）に導かれる。
【０１９０】
スクランブルされていなければ仮Ｙ＝Ｙ、仮Ｕ＝Ｕ（Ｃｂ）、仮Ｖ＝Ｖ（Ｃｒ）であるところ、この例のスクランブルにより、仮Ｙ＝Ｕ（Ｃｂ）、仮Ｕ＝Ｖ（Ｃｒ）、仮Ｖ＝Ｙとなる。
【０１９１】
こうして暗号化されたアナログ映像信号情報（仮Ｙ、仮Ｕ、仮Ｖ）は、図１７のＨＹ１端子へ転送される。
【０１９２】
上記例はＹ、Ｕ（Ｃｂ）およびＶ（Ｃｒ）の極性反転がない場合であるが、ビット列ａ〜ｆの内容により、端子Ｔ２１〜Ｔ２３に、適宜極性反転されたＹ、Ｕ（Ｃｂ）およびＶ（Ｃｒ）を出力することもできる。
【０１９３】
上記ビット列ａ〜ｆは、図１７のエンコード情報記憶部１００４から得られる。このビット列ａ〜ｆの内容（０／１）は、アナログ信号入力（Ｓ１４）の水平走査線のタイミングに合わせ、アナログ映像信号の走査線（水平または垂直）毎に切り替わる（各走査線内では一定の値に保たれる）ようになっている。
【０１９４】
図２４は、図１６〜図２２のＡＣＰシステムにおいて、暗号化（スクランブル）されたアナログコンポーネント信号の解読／復号化（デ・スクランブル）と復号化キー（スクランブルキー；デコード情報）との関係の一例を説明する図である。
【０１９５】
いま、図１８のアナログコンポーネントビデオ信号切替／反転処理部３００６が図２４のように構成されているとする。
【０１９６】
この場合、図２３の端子Ｔ２１〜Ｔ２３からの暗号化されたアナログ映像信号情報（仮Ｙ、仮Ｕ、仮Ｖ）は、それぞれ、図２４の端子Ｔ３２〜Ｔ３３に供給される。
【０１９７】
このとき、端子Ｔ３２〜Ｔ３３に供給された映像信号情報（仮Ｙ、仮Ｕ、仮Ｖ）のスクランブルに用いた暗号化キー情報（６つのビット列ａ〜ｆのセット）は、その映像信号のＶＢＩにより図１８のデコード情報記憶部３００４に転送され記憶されている。このデコード情報記憶部３００４に記憶された６つのビット列ａ〜ｆのセットにより、図２４のスイッチ回路のスイッチ選択状態が決定される。
【０１９８】
図２４に例示するようなスイッチ選択状態の場合、端子Ｔ３１に供給された仮Ｙ（図２３の例ではＵ（Ｃｂ））は、ゲイン／オフセット調整部Ｇ／ＯＦ１１を通ったあと、図示状態のスイッチ回路を介して、端子Ｔ４２に導かれる。
【０１９９】
また、端子Ｔ３２に供給された仮Ｕ（図２３の例ではＶ（Ｃｒ））は、ゲイン／オフセット調整部Ｇ／ＯＦ１２を通ったあと、図示状態のスイッチ回路を介して、端子Ｔ４３に導かれる。
【０２００】
同様に、端子Ｔ３３に供給された仮Ｖ（図２３の例ではＹ）は、ゲイン／オフセット調整部Ｇ／ＯＦ１３を通ったあと、図示状態のスイッチ回路を介して、端子Ｔ４１に導かれる。
【０２０１】
こうして、図２４の端子Ｔ４１に元のアナログコンポーネントビデオ信号のＹ信号が出力され、端子Ｔ４２に元のアナログコンポーネントビデオ信号のＵ（Ｃｂ）信号が出力され、端子Ｔ４３に元のアナログコンポーネントビデオ信号のＶ（Ｃｒ）信号が出力される。
【０２０２】
ここで、図２４のＧ／ＯＦ１１〜Ｇ／ＯＦ３３は、ＩＮＶ１１〜ＩＮＶ２３の反転処理などによりペデスタルレベル（黒レベル）が元に戻らなくなったものを元に戻すオフセット調整機能と、伝送経路での信号減衰率の違いなどによりペデスタルレベルから信号ピークレベルまでの振幅がずれたものを元の振幅に戻すゲイン調整機能を持っている。（Ｙ／Ｃｂ／Ｃｒのペデスタルレベル／ピークレベルがずれると、デコードされたビデオ信号のホワイトバランスが崩れ、元のビデオ信号の色調が再現されなくなる恐れがある。）
Ｇ／ＯＦ１１〜Ｇ／ＯＦ３３それぞれの内部は、基本的に、ゲイン調整用抵抗回路を備えた高速オペアンプ１個で構成できる。このゲイン調整用抵抗回路にはゲート印加電圧でドレイン〜ソース間内部抵抗が変化するＦＥＴを利用できる。すなわち、ＦＥＴのドレイン〜ソース間抵抗値をそのゲート電圧で制御して、高速オペアンプのゲインを調整することができる。
【０２０３】
また、オフセット補正のために、高速オペアンプの入力側にＤＣバイアスが掛けられる構造になっている。ＦＥＴ内部抵抗制御用ゲート電圧印加部およびオフセットＤＣバイアス電圧供給部は、ＤＡＣ（図示せず）を介して、アナログ信号情報処理装置内のＭＰＵ（図示せず）に接続されている。
【０２０４】
暗号化（エンコード）／復号化（デコード）の処理を行う前に、一度、基準映像信号を図１９のアナログ信号情報伝送経路Ｌ１０００あるいはＬ２０００内に流し、上記ＭＰＵを使って、Ｇ／ＯＦ１１〜Ｇ／ＯＦ３３内の動作値が最適になるように、それぞれのＦＥＴ内部抵抗制御用ゲート電圧およびオフセットＤＣバイアス電圧が、自動調整される仕組みになっている。
【０２０５】
なお、図２４のＧ／ＯＦ１１〜Ｇ／ＯＦ３３は、アナログのスクランブル／デ・スクランブル処理では必要であるが、デジタルでのスクランブル／デ・スクランブル処理（たとえば図１の構成において、トランスミッタ１０のＤＡＣ１０２をパススルーとし、レシーバ３０のデジタルデコーダ３００内でデ・スクランブルされたビデオ信号の出力側にＤＡＣを設けた場合）では不要となる。
【０２０６】
高解像度ビデオ信号のベースバンドは非常に広帯域であるため、従来はベースバンドレベルでの暗号化は難しいとされていた。しかし、図２３および図２４の構成では、暗号化に必要な高速デバイスとしてはアナログスイッチ（ゲイン／オフセットの調整速度はインバータの反転速度よりは遅くてもよい）のみを用いているため、高速なアナログベースバンドの暗号化が可能となっている。
【０２０７】
なお、高速アナログスイッチは、自動入出金機（ＡＴＭ）等で大量に使用されている安価な高速スイッチでよい。
【０２０８】
しかもエンコーダ（スクランブル）およびデコーダ（デ・スクランブル）の構成は図１７、図１８、図２３、図２４に示すように、非常に回路規模が小さいので、安価でコンパクトなアナログ信号用の暗号化／復号化回路を作成できる。
【０２０９】
図２５は、図１６〜図２２のＡＣＰシステムにおいて、暗号化（スクランブル）されたアナログ信号および暗号キー（たとえば図１７〜図１８、図２３〜図２４のａ〜ｆ）の伝送処理の一例を説明するフローチャートである。
【０２１０】
この伝送処理は、図１９に示したように複数台のアナログ信号情報処理装置（３０００〜５０００）が１つのアナログ信号情報処理装置（２０００）に（ＨＹ端子を介して）接続されている場合において、所定の１つ（たとえば３０００）が選び出され、選び出された１つの装置（３０００）にアナログ信号情報処理装置（２０００）からアナログ映像情報が送信される場合を想定している。
【０２１１】
なお、複数台のアナログ信号情報処理装置（３０００〜５０００）と１つのアナログ信号情報処理装置（２０００）とを結ぶ伝送経路Ｌ２０００は、必ずしもアナログコンポーネント接続には限られず、従来のコンポジットタイプのアナログビデオケーブルまたはＳ端子用アナログビデオケーブルでもよい。
【０２１２】
まず、図１９のコマンド情報処理部２０１０が、アナログ映像信号の伝送開始を宣言するための“ＳＬＯＴ_ＩＤコマンド”を発生させる。そして、アナログ信号・コマンド情報合成部２００６から、アナログ信号送信部２０２８Ｂ（図２２）および送受信切替部２０２８Ｃ（図２２）を経由して、アナログ信号情報伝送経路Ｌ２０００に、“ＳＬＯＴ_ＩＤコマンド”を伝送し、アナログ信号情報の送信開始宣言を行う（ステップＳＴ１０）。
【０２１３】
このＳＬＯＴ_ＩＤコマンド内には、パラメータとして、アナログ信号情報送信宣言情報と、今回は記録装置３０００である受信装置指定情報が含まれている。
【０２１４】
このコマンドを受信すると、該当するアナログ信号情報処理装置３０００がアナログ映像信号情報伝送処理に対応したＳＬＯＴ＿ＩＤ（各異なる伝送処理を行なうセッションを識別するためのＩＤ）を発行し、アナログ信号情報受信リクエスト表明を行なう（ステップＳＴ１２）。
【０２１５】
すると、アナログ信号情報受信リクエスト表明を行った装置（図１９では３０００〜５０００のどれか）が「アナログ信号情報処理装置２０００が伝送を希望している相手か」どうかを確かめるために、アナログ信号情報処理装置２０００とアナログ信号情報処理装置３０００との間で、相互認証処理が行われる。
【０２１６】
具体的には、アナログ信号情報処理装置３０００のみが持っている公開キー情報で暗号化した情報をアナログ信号情報処理装置２０００からアナログ信号情報処理装置３０００へ送り、この情報をアナログ信号情報処理装置３０００が解読できるかを調べ、次にその逆を行なうチャレンジ・レスポンス処理により、相互認証処理を行なう（ステップＳＴ１４）。
【０２１７】
この相互認証処理が完了すると、暗号キー作成の元になる情報の配信を行い（ステップＳＴ１６）、配信された情報を基に、アナログ信号情報処理装置間の共通の暗号キーまたは暗号解読キーの作成を行なう（ステップＳＴ１８）。
【０２１８】
その具体的な方法として、
ａ）ステップＳＴ１４で行なうチャレンジ・レスポンス処理の際に同時に暗号キーの一部（または暗号作成用の基情報）を相互に送り合い、その相互に送り合った情報から暗号キーを作成する方法；
ｂ）アナログ信号情報処理装置２０００〜３０００間で事前に暗号キーの基になる情報を共有しておき、両者のうちどちらかが送信した情報を基に両者がそれぞれ共通な暗号キーを作成する方法；
などがある。
【０２１９】
以上の処理を経て暗号キー情報生成部２０１２で暗号キーが作成されると、アナログ信号暗号解読部２０１４で復号化されたアナログ映像情報に対して、再度、別の暗号キーによって、アナログ信号の暗号化部２００４で暗号化（エンコード；スクランブル）が行われる（ステップＳＴ２０）。
【０２２０】
その結果得られた暗号化されたアナログ映像信号情報は、コマンド処理部２０１０で作成したコマンド情報と、アナログ信号・コマンド情報合成部２００６において、合成される。
【０２２１】
そして、アナログ信号送信部２０２８Ｂ（図２２）および送受信切替部２０２８Ｃ（図２２）と伝送経路Ｌ２０００を経て、アナログ信号情報処理装置３０００へ伝送される（ステップＳＴ２２）。
【０２２２】
アナログ信号情報処理機器３０００では、暗号化されたアナログ映像信号情報が共通の暗号キーで暗号解読（デコード；デ・スクランブル）され（ステップＳＴ２４）、図示しない情報記憶媒体（ＤＶＤ−ＲＡＭディスク、磁気テープなど）に記録される。
【０２２３】
なお、上記例に限らず、暗号化されたままのアナログ映像信号情報をそのまま情報記憶媒体に記録する方法も可能である。
【０２２４】
以上の説明において、共通の暗号キーの例としては、たとえば図１７、図１８のビット列ａ〜ｆの情報がある。
【０２２５】
図２６の（ａ）〜（ｅ）は、図１９〜図２２のＡＣＰシステムにおいて、アナログ信号情報処理装置間で伝送される伝送情報（コマンド情報を含む）ＴＩのフォーマットの一例を示す。
【０２２６】
この例では、映像情報伝送期間ＶＴＰの間の垂直基線消去期間ＶＢＩ内の第１０〜１３番目と第１７〜２０番目の走査線期間中に、コマンド情報を伝送するようになっている。
【０２２７】
上記の期間内での伝送利用者の割り振りでは、Ｓｌｏｔ_ＩＤ作成開始宣言者に特定期間を決定する権利が与えられ、Command Line Controlコマンド（図２７）によりその割り振りが通知される。
【０２２８】
ただし、同時に複数のコマンドが並列処理されず、１個のコマンドと戻り値（ステータス）のやり取りのみを行う単純なコマンド伝送の場合には、コマンド送信者側が第１０〜１３番目の走査線を利用し、全て同一のコマンドが４回繰り返して伝送される。
【０２２９】
またこの場合には、コマンドステータス回答者（戻り値を返す側）が第１７〜２０番目の走査線を利用し、同様に同一の内容を４回繰り返して返信する。
【０２３０】
コマンド情報は２７２ビットのデーターパケットＤＰ構造により伝送される。実際のコマンド情報は、１７６ビットのコマンドデーターブロックＣＤＢ内に入り、複数コマンドの同時並行が可能なように、固有のセッションを指定するスロットＩＤ；ＳＬＩＤ、送信元の装置を認識させるための送信装置ＩＤ；ＴＲＩＤ、送信相手を指定する受信装置ＩＤ；ＲＥＩＤ、コマンド内容を示すコマンドコードＣＭＣＤ、およびそのコマンドに関する情報を示すコマンドパラメータＣＭＰＲなどの情報が送れるようになっている。
【０２３１】
コマンドデータブロックＣＤＢのサイズは、１７６ビットと非常に小さいので、多量の情報をコマンド形式で伝送する場合、何度かに分けて伝送する必要がある。そのため、同一のコマンドに関する何回目の情報を送っているかを示すために、同一コマンド内シリアル番号ＳＣＳＮも伝送される。
【０２３２】
図２７は、図２６のフォーマットで伝送される情報に含まれるコマンドの具体例を示している。
【０２３３】
図２８は、図１９〜図２２のＡＣＰシステムにおいて、アナログ信号情報処理装置間で相互認証を行なう場合の処理の一例を説明するフローチャートである。
【０２３４】
この処理では、図２７のコマンド情報が利用されている。
【０２３５】
まず、認証相手に割り付けたスロットＩＤ値を、認証相手へ送信する（ステップＳＴ３０）。このとき、設定エリア情報とストリームＩＤ情報が通知される。ここでは、コマンドとして、レポートキーが使用される。
【０２３６】
次に、暗号化された相手のチャレンジキーを、認証相手から受信する（ステップＳＴ３２）。ここでは、コマンドとして、センドキーが使用される。
【０２３７】
次に、認証相手のチャレンジキーで暗号化した「暗号キー１」を、認証相手へ送信する（ステップＳＴ３４）。ここでは、コマンドとして、レポートキーが使用される。
【０２３８】
次に、暗号化されたこちら側のチャレンジキーを、認証相手へ送信する（ステップＳＴ３６）。ここでは、コマンドとして、センドキーが使用される。
【０２３９】
次に、こちら側のチャレンジキーで暗号化した「暗号キー２」を、認証相手から受信する（ステップＳＴ３８）。ここでは、コマンドとして、センドキーが使用される。
【０２４０】
こうして「暗号キー１」および「暗号キー２」が得られたあと、これらのキーから、「バスキー」を生成する（ステップＳＴ４０）。
【０２４１】
そのあと、「バスキー」で暗号化した情報を、トランスポートストリームで送受信する（ステップＳＴ４２）。
【０２４２】
図２９は、図２６〜図２７に例示したようなコマンド情報を含み得るデジタル放送受信機（ＳＴＢ）のアナログ出力が、ＨＹ端子付の高解像度テレビジョン（ＨＤＴＶ）あるいはＨＹ端子付のビデオレコーダに接続された場合において、ＨＹ端子を経由するアナログ信号中のＶＢＩの内容を例示する図である。
【０２４３】
ここではＶＢＩ期間中の走査ラインＬ１０／Ｌ２７３にマスター側発行のコマンド情報が含まれ、Ｌ１１／Ｌ２７４にスレーブ側発行のコマンド情報が含まれ、Ｌ１２〜Ｌ１９／Ｌ２７５〜Ｌ２８２にデジタルＴＶの付加情報（サービス情報ＳＩ）が含まれている。
【０２４４】
この付加情報部分（Ｌ１２〜Ｌ１９／Ｌ２７５〜Ｌ２８２）は、従来ビデオではマクロビジョン方式のアナログコピープロテクト用ＡＧＣパルスに用いられていた部分を利用している。
【０２４５】
また、ＶＢＩ期間中の走査ラインＬ２０／Ｌ２８３にビデオＩＤ情報が含まれ、Ｌ２１／Ｌ２８４に文字多重／クローズドキャプション情報が含まれる。
【０２４６】
その他の走査ラインＬ２２〜Ｌ２６３／Ｌ２８５〜Ｌ５２５には、アナログ映像情報（インターレース）が含まれる。
【０２４７】
図２９の場合、セットトップボックスＳＴＢを中心にして、ＨＹ端子付ＶＣＲに対してはコマンド情報が送受信され、ＨＹ端子付ＴＶに対してはコマンド情報以外の情報（付加情報、ビデオＩＤなど）が送信される。
【０２４８】
図３０は、図２９の変形例を示す。すなわち、ＶＢＩ期間中の走査ラインＬ１０〜Ｌ１９／Ｌ２７３〜Ｌ２８２がデジタルＴＶの付加情報（サービス情報ＳＩ）に利用され、コマンド情報は省略されている。それ以外の走査ラインの内容は図２９と同じである。
【０２４９】
図２９または図３０の構成において、デジタル放送をリアルタイムで視聴する場合は、ＳＴＢからＨＤＴＶへビデオ信号が送られる。
【０２５０】
一方、一旦ＶＣＲに録画をしておくタイムシフト視聴を行なう場合は、最初にＳＴＢからＶＣＲ（またはＤＶＤ録再ビデオ）にビデオ信号のアナログコンポーネント記録が行われる。そして、録画後の適当な時間に、記録されたビデオ信号が、ＳＴＢを経由してＨＤＴＶへ送られる。
【０２５１】
図２９または図３０の構成には、次のような特徴がある：
（４１）デジタル放送の付加情報ＳＩを、ＨＹ端子付ＡＣＰアダプタを用いて、既存ＶＣＲに記録可能；
（４２）既存ＶＣＲ情報（テープナビなど）に対する付加情報記録が可能；
（４３）ビデオＩＤ以外の付加情報を記録し、ビデオＩＤとの共存を図ることが可能；
ここで、ビデオＩＤ以外の付加情報（または付加機能）としては、たとえば次のものがある：
（イ）タイトラー機能（画面切替目に映像内容を示すタイトルを記録）；
ここでのビデオＩＤの文字情報は副映像の字幕のイメージ
（ロ）スキッピング用のエントリポイント設定；
（ハ）ブックマーク（しおり）ポインタ位置設定；
（ニ）静止画（サムネール）ポインタ設定；
（ホ）インデックス（目次）情報；
このインデックス情報（時間情報など）は、記録媒体上の録画終了場所にまとめて記録できる。
【０２５２】
図３１は、図１〜図１８で説明したようなＡＣＰアダプタが装着されたシンク機器（既存のＡＶ機器等）に、図２６〜図２７に例示したようなコマンド情報を含むアナログ信号を供給するものにおいて、コマンド情報が電磁波（無線電波）等を利用したリモコン経由でシンク機器に送られる構成の一例を説明する図である。
【０２５３】
図３１において、シンク機器（既存ＡＶ機器）５０のアナログビデオ入力端子４２に取り外し不能に取り付けられたＡＣＰアダプタは、図１の構成に対応するデ・スクランブル／認証処理部３００Ｂの他に、ＶＢＩコマンドに対応した制御用プロセサ３１０Ｂと、リモコン制御部３１２Ｂを備えている。
【０２５４】
このリモコン制御部３１２Ｂは、たとえば電波（無線）を利用して、シンク機器５０に取り付けられたリモコンセンサ８０（このセンサは赤外線リモコン７０にも無線リモコンにも対応している）に、ＶＢＩのコマンド、付加情報などを送れるようになっている。
【０２５５】
図３２は、この発明の実施の形態に係るＡＣＰアダプタの動作例を説明するフローチャートである。
【０２５６】
まず、接続相手の回路インピーダンス（通常は７５Ωだが接続相手によっては５０Ωの場合もあり得る）を調べて、相手機器が（こちら機器のＨＹ端子に）接続されているかどうかチェックする（ステップＳＴ６０）。
【０２５７】
接続されていない場合（回路インピーダンスが数ｋΩ以上かほぼ無限大）は、接続されるのを待つ（ステップＳＴ６２ノー）。
【０２５８】
接続されている場合は（ステップＳＴ６２イエス）、相手機器からのビデオ信号のＶＢＩにコマンドが乗るのを、所定時間（たとえば１〜２秒）待つ（ステップＳＴ６４）。
【０２５９】
所定時間経過後、ＶＢＩのコマンドをチェックする（ステップＳＴ６６）。
【０２６０】
コマンドがなければ、相手機器はこの発明のＡＣＰシステムに対応していない従来機器（ＨＹ端子なし）であると判断し、相手機器に、アナログビデオ信号をそのまま送る（ステップＳＴ６８）。すなわち、スクランブルされたアナログビデオ信号は、スクランブルされたまま相手機器に送られる。
【０２６１】
一方、コマンドがＶＢＩに含まれておれば、相手機器はこの発明のＡＣＰシステムに対応した新機種（ＨＹ端子付）であると判断し、相手機器と、相互認証処理およびキー交換を行なう（ステップＳＴ７０）。
【０２６２】
その後、暗号化（エンコード）されたビデオ信号を解読（デコード）し、スクランブルされたビデオ信号のスクランブルを解除する（ステップＳＴ７２）。
【０２６３】
こうしてデコード（デ・スクランブル）されたアナログビデオ信号が、アダプタ接続機器（シンク機器）に送られる（ステップＳＴ７４）。
【０２６４】
図３３は、図１２のＡＣＰアダプタの変形例であって、プラグおよびケーブル部分を、ＡＣＰアダプタ給電用の電源配線を含む３芯構造とした場合の構成を例示する断面図である。ここでは、ＡＣＰアダプタのＨＹ端子外側に、基板給電用の電極の位置合わせのためのガイド突起が設けられている。
【０２６５】
また、図３４は、図３３のＡＣＰアダプタのＨＹ端子に挿通される３芯構造のＨＹ端子対応ピンプラグを、信号コネクタピンの側からみた状態を例示する図である。このＨＹ端子に挿入されるピンプラグには、ＨＹ端子のガイド突起と相対する位置に、位置合わせのためのガイド溝が設けられている。
【０２６６】
アダプタ内部のＡＣＰ基板のたとえば「＋」電源回路はＨＹ端子のＡＣＰアダプタ給電電極に接続され、ＡＣＰ基板の「ー」電源回路および信号接地（コールド）回路はＨＹ端子のアース電極に接続され、ＡＣＰ基板の信号ホット回路はＨＹ端子の中心電極（センタピン導体）に接続される。
【０２６７】
ここで、ＨＹ端子のアース電極はシンク機器の入力端子に挿入される側（図３３の左側）のアース電極に電気的に接続されるが、ＨＹ端子のアダプタ給電電極は、シンク機器側のアース電極から電気的に絶縁される。
【０２６８】
この「ＨＹ端子のアダプタ給電電極とアース電極との電気的絶縁」を実働状態でも保証するため、図３３のＨＹ端子に挿入される図３４のプラグのアダプタ給電電極の周囲には、アース電極と給電電極とを絶縁分離する溝が設けられている。
【０２６９】
また、図３４のプラグの上部（ガイド溝のある方向）には、プラグの給電電極をＨＹ端子の給電電極と同じ向きに合わせることを容易にするために、挿入位置合わせマークが付されている。
【０２７０】
図３３のガイド突起および図３４のガイド溝のペアによる位置合わせが可能なので、図３４のプラグ側ＡＣＰアダプタ給電電極は、確実に、図３３のＨＹ端子側ＡＣＰアダプタ給電電極に接触できる。
【０２７１】
図３３の構造では、ガイド突起があるために、ＨＹ端子に従来のＲＣＡピンプラグをスムースに挿入することはできない。このため、ＲＣＡピンプラグをＡＣＰアダプタのＨＹ端子に誤挿入したことで（ＡＣＰ基板が給電されないから）ＡＣＰアダプタが作動しないという、ユーザミスによるトラブルを防止できる。
【０２７２】
図３３に示すような３芯構造のＡＣＰアダプタが採用される場合、図３４の３芯構造ピンプラグに対しては、３重同軸ケーブルを用いるか、２重同軸ケーブルの外部に給電用配線を這わせたケーブルを用いることができる。
【０２７３】
なお、図３４の３芯プラグが従来のＲＣＡ型入力端子に誤挿入された場合は、ＡＣＰアダプタ給電電極がアース電極に短絡される。この場合、給電電極に電源供給を行っている外部機器の安定化電源回路に、短絡保護回路が設けられておれば、電源回路の破壊は防止できる（安定化電源回路に一般的な３端子レギュレータを用いた場合、このレギュレータ内部には短絡保護回路が設けられている）。
【０２７４】
図３５は、図３３のＡＣＰアダプタの変形例であって、挿入位置合わせ用ガイドの凹凸関係を逆にした場合の構成を例示する断面図である。ここでは、ＡＣＰアダプタのＨＹ端子外側に、基板給電用の電極の位置合わせのためのガイド溝が設けられている。
【０２７５】
また、図３６は、図３５のＡＣＰアダプタのＨＹ端子に挿通される３芯構造のＨＹ端子対応ピンプラグを、信号コネクタピンの側からみた状態を例示する図である。このＨＹ端子に挿入されるピンプラグには、ＨＹ端子のガイド溝と相対する位置に、位置合わせのためのガイド突起が設けられている。
【０２７６】
図３５のガイド溝および図３６のガイド突起のペアによる位置合わせが可能なので、図３５のプラグ側ＡＣＰアダプタ給電電極は、確実に、図３６のＨＹ端子側ＡＣＰアダプタ給電電極に接触できる。
【０２７７】
図３５の構造では、ＨＹ端子に従来のＲＣＡピンプラグも挿入することができる（ガイド溝はＲＣＡピンプラグの挿入の際の障害にならない）。
【０２７８】
ガイド突起／ガイド溝の関係を除き、図３５と図３６の構成は、前述した図３３と図３４の構成と同じでよい。
【０２７９】
図３５および図３６に示すような３芯構造のＡＣＰアダプタが採用される場合、給電電極による給電状態を利用して、ソース機器側の接続相手がＨＹ端子に対応したものかどうかの自動判別を行なうことができる。
【０２８０】
すなわち、ソース機器側の接続相手が通常の２芯ピンプラグ（ＲＣＡ型ピンプラグ）の場合、ＡＣＰアダプタ内の回路基板に対する給電はなされない（あるいはＲＣＡ型ピンプラグのアース電極を介して、ＨＹ端子のアース電極とアダプタ給電電極とが電気的に短絡される）。この場合は、ソース機器側からのビデオ信号はＡＣＰアダプタ内部をパススルーし、そのままシンク機器側へ送出される。
【０２８１】
一方、ソース機器側の接続相手が通常の３芯ピンプラグ（ＨＹ端子対応ピンプラグ）の場合、ＡＣＰアダプタ内の回路基板に対する給電がなされるようになる。この場合は、ＡＣＰアダプタは接続相手とキー交換を行い、入力されたアナログビデオ信号のスクランブルを解除して、正常な信号形式のアナログビデオ信号をシンク機器側に送出できる。
【０２８２】
なお、３芯ピンプラグの場合でも、ソース機器側から電源供給がなされない場合は、２芯ピンプラグと同様な動作となり、ソース機器側からのビデオ信号はＡＣＰアダプタ内部をパススルーする。
【０２８３】
図３５のＨＹ端子に挿入されるプラグが従来のＲＣＡタイプか３芯ＨＹタイプかにより、次のような違いがある：
＊アダプタ接続相手      →ＲＣＡ端子              →ＨＹ端子
＊接続相手ケーブル      →２芯（ホット／アース）  →３芯（ホット／アース／給電）
＊電源供給場所          →電源供給なし            →ＨＹ端子付接続相手機器内
＊アダプタＩＣ稼働状況  →ＩＣ動作停止（電源ゼロ）→ＩＣ稼働
＊アダプタ内信号伝送    →入力信号をパススルー    →デ・スクランブル信号伝送
＊回転方向の位置規制    →規制なし                →突起部により回転方向の位置規制
次に、日米における標準画質（ＳＤ）ビデオおよび高解像度・高画質（ＨＤ）ビデオを例にとって、ＨＹ端子を用いたＨＤ画質のアナログコピープロテクトと、ＳＤ画質でのアナログコピープロテクトの関連処理について、図３７に例示しておく。
【０２８４】
ここで、日本で既発売のＨＤＴＶ（ＨＤモニタ）に対しては、ＨＹ端子対応アダプタの接着を前提としている。日本で既発売のＨＤ対応録画装置については、ここでは考慮外としている。
【０２８５】
図３７においては、マクロビジョン方式のコピープロテクトを使用する５２５プログレッシブまでを、ＳＤ画質と考えている。
【０２８６】
既存装置との間では事前認証ができないので、この場合はコマンドをＶＢＩに乗せない。ただし既存装置に対してＨＹ端子対応アダプタを接続した場合は、双方向通信および／または一方向遠隔操作が可能となる。
【０２８７】
パッケージメディアのコピー制御では、ＣＧＭＳ−Ａを付属させる。アナログ放送系では、コピー制御情報を付けない。デジタル放送系では、独自のコピー制御情報を用いる。
【０２８８】
最後に、双方向コマンドの概念を以下にまとめておく：
＜マスタ／スレーブの概念を採用＞
マスタ…ビデオ出力（ビデオ送信側）
スレーブ…ビデオ入力（ビデオ受信側）
ライン管理者…マスタ
スレーブに対してタイムリーにコマンドレディを発行し、リアルタイムでスレーブからのコマンド発行を可能にする。
【０２８９】
下記のアイテム毎に詳細なコマンドが発行できるように「階層構造をもったコマンド記述」を採用：
１）コマンド、付加情報等の区別をする情報
２）ビデオ入力／ビデオ出力の宣言
３）コマンドの方向性（双方向Ｉ／Ｆか、一方向コマンドか）
４）事故紹介／構成認証
５）コマンドバージョン
６）マスタ／スレーブアドレス
＜ユーザビリティ＞
端子間の接続ミスの自動検出機能
ＨＹ端子の抜き差し自動認識
映像へのサービス情報の添付送信
接続機種確認機能（メーカ名、機種名、型番などをユーザに表示し確認させる）
＜各機器に対する遠隔操作＞
双方向通信を可能にする。
【０２９０】
基本的なＡＶ／Ｃ（ＡＶコンポーネント）と同等レベルのコマンド制御を可能にする。
【０２９１】
コンバータを介してＩＥＥＥ１３９４と相互乗り入れ可能にする。
【０２９２】
各機器毎にメニュー情報転送可能にする。
【０２９３】
ここでのメニュー情報は、
ａ）機器動作選択メニュー；
ｂ）記録コンテンツ内容メニュー
対象機種の切替を可能にする。
【０２９４】
１個の万能リモコンを想定し、制御対象を切り替える
＜ＶＣＲまたはＤＶＤレコーダに対する制御＞
電源オン・オフ
記録・再生・ポーズなど
高速ダビング機能（５２５Ｐ→５２５ｉ転送など；この場合２倍速）
ＶＣＲの外部機器からテープナビ機能を実現可能にする。
【０２９５】
＜ＴＶに対する制御＞
ＴＶの音量制御
画面切替／表示モード切替
電源オン・オフ
＜監視カメラ（ＣＣＤ）に対する制御＞
ズームイン・ズームアウト
カメラアングル（上下左右への撮影位置の移動）
＜将来性＞
ＩＥＥＥ１３９４とのコマンド相互乗り入れ
３台以上の機器同士の協調動作
この協調動作は、１対Ｎ制御が基本だが、バスマスタ設定／スター型でＮ対Ｎ制御の可能性もある。
【０２９６】
スイッチャ制御を含めたネットワーク自体の制御
異種機種を含めた統合制御…白物家電、電話、ＴＶ電話
この発明を実施することにより、以下のいずれかの効果が期待できる：
１．暗号化されたアナログ映像情報を各機器間で伝送し合うことにより、ネットワークに接続された他機器での映像情報の不正利用や不正コピーを防止できる。
【０２９７】
２．暗号化されたアナログ映像情報を各機器間で伝送し合うことにより、簡単な回路付加（例えば１個のＩＣ付加）により既存のアナログ接続端子（コンポジット端子もしくはＳ端子）が利用可能となる。
【０２９８】
アナログ端子はほとんどの映像機器に標準装備されているので、暗号化されたアナログ映像情報の伝送処理方法は普及し易い。
【０２９９】
３．既存のＩＥＥＥ１３９４上でのコピープロテクション（暗号化されたディジタル映像情報の伝送処理）と比べて、制御用回路規模が少なく、映像情報機器のコストアップが抑えられるとともに、映像情報機器サイズの増加を防ぐことができる。
【０３００】
４．アナログの映像情報暗号化方法として、主走査線順の入れ替えといったレベルの簡易暗号化が可能なため、受信相手以外の他機器でも映像情報のおよその内容が分かる。そのため他機種を利用しているユーザーに対して購買意欲をそそり、暗号化されたアナログ映像情報の伝達処理機能を有した映像情報機器の市場拡大に大きく貢献する。
【０３０１】
５．映像信号を送信するアナログ信号伝送路を使って同時に暗号キー情報を伝送するため、ケーブルＴＶなどの暗号化された映像信号に対する暗号キー情報を「郵送など別経路で配布する」従来方式に比べて、非常に簡単に、受信者のみが利用できる暗号キー情報を配送できる。このため、暗号キー情報を伝送するためのコストがほとんどかからない。
【０３０２】
６．映像信号を送信するアナログ信号伝送路を使って同時に暗号キー情報を伝送するため、映像信号情報の送信者側が頻繁に暗号キー内容を変更できる。その結果、ハッカーに暗号解読の時間的の余裕を与えないのでセキュリティー（不正使用防止、不正コピー防止）に関し非常に高い信頼性を確保できる。
【０３０３】
７．映像信号を送信するアナログ信号伝送路を使って同時にコマンド情報のやり取りができるため、非常に簡単かつ低価格で、ＩＥＥＥ１３９４に近いレベルの映像情報処理機器間の相互制御が可能となる。
【図面の簡単な説明】
【０３０４】
【図１】この発明の一実施の形態に係るアナログコピープロテクト（ＡＣＰ）システム（デジタル信号段階でスクランブルされる例）を説明する図。
【図２】この発明の実施の形態に係るＡＣＰシステムにおいて、ビデオブランキングインターバル（ＶＢＩ）のライン番号とステータスとの対応関係の一例を説明する図。
【図３】この発明の実施の形態に係るＡＣＰシステムにおいて、スクランブル（暗号化）の形式とコンポーネントアナログ信号等に対する処理内容との対応関係の一例を説明する図。
【図４】この発明の実施の形態に係るＡＣＰシステムが組み込まれたＡＣＰアダプタが、既存のＡＶ機器に対してどのように使われるのかの一例を説明する図。
【図５】この発明の実施の形態に係るＡＣＰアダプタに対する給電方法の代表例を説明する図。
【図６】この発明の実施の形態に係るＡＣＰアダプタの製法を説明するものであって、回路基板が組み込まれる前のＡＣＰアダプタフレームの構造を例示する断面図。
【図７】図６のＡＣＰアダプタフレームに、ＡＣＰアダプタ回路基板が取り付けられた状態を例示する断面図。
【図８】図７のＡＣＰアダプタフレームに、外部給電コネクタの受け部分（レセプタクル）が取り付けられた状態を例示する断面図。
【図９】図８のＡＣＰアダプタフレームに、信号コネクタのセンタピンを絶縁支持するための絶縁体カラーが取り付けられた状態を例示する断面図。
【図１０】図９のＡＣＰアダプタフレームの絶縁体カラーに、信号コネクタのセンタピンが挿通された状態を例示する断面図。
【図１１】図１０のＡＣＰアダプタフレームの信号コネクタセンタピンに、ＡＣＰアダプタ回路基板から引き出された極細導線（切れやすい裸銅線）が接続された状態を例示する断面図。
【図１２】図１１のＡＣＰアダプタフレームの極細導線（切れやすい裸銅線）のたるみ部分とともに極細導線の取付作業孔を樹脂封止した状態を例示する断面図。
【図１３】図１２のＡＣＰアダプタフレームの樹脂封止と同時に、それまでの作業中露出していた基板部分その他をキャップで接着封止した状態を、信号コネクタピンの側からみた状態を例示する図。
【図１４】図６〜図１３のプロセスで作成されたＡＣＰアダプタがシンク機器（ＨＤＴＶ等）の入力端子に装着され、かつこのＡＣＰアダプタにソース機器（ＤＶＤプレーヤ等）からのピンプラグが挿入された状態を例示する断面図。
【図１５】図１４のようにシンク機器に装着されたＡＣＰアダプタがシンク機器から強引に取り外された場合に、ＡＣＰアダプタの内部信号線が断線した様子を例示する断面図。
【図１６】この発明の他の実施の形態に係るアナログコピープロテクト（ＡＣＰ）システム（アナログ信号段階でスクランブルされる例）を説明する図。
【図１７】図１６のＡＣＰシステムにおいて、エンコーダ（アナログコンポーネント信号のスクランブラ）の構成例を説明する図。
【図１８】図１６のＡＣＰシステムにおいて、デコーダ（アナログコンポーネント信号のデ・スクランブラ）の構成例を説明する図。
【図１９】この発明のさらに他の実施の形態に係るアナログコピープロテクト（ＡＣＰ）システム（スクランブル／デ・スクランブルだけでなくコマンド処理も含む構成）を説明する図。
【図２０】図１９のＡＣＰシステムにおいて、アナログ信号情報伝送部１００８の内部構成を例示する図。
【図２１】図１９のＡＣＰシステムにおいて、アナログ信号情報伝送部２００８の内部構成を例示する図。
【図２２】図１９のＡＣＰシステムにおいて、アナログ信号情報伝送部２０２８の内部構成を例示する図。
【図２３】図１６〜図２２のＡＣＰシステムにおいて、アナログ信号の暗号化（コンポーネント信号の切替／反転処理）と暗号化キー（スクランブルキー；エンコード情報）との関係の一例を説明する図。
【図２４】図１６〜図２２のＡＣＰシステムにおいて、暗号化（スクランブル）されたアナログコンポーネント信号の解読／復号化（デ・スクランブル）と復号化キー（スクランブルキー；デコード情報）との関係の一例を説明する図。
【図２５】図１６〜図２２のＡＣＰシステムにおいて、暗号化（スクランブル）されたアナログ信号および暗号キー（図１７〜図１８、図２３〜図２４のａ〜ｆ）の伝送処理の一例を説明するフローチャート図。
【図２６】図１９〜図２２のＡＣＰシステムにおいて、アナログ信号情報処理装置間で伝送される伝送情報（コマンド情報を含む）のフォーマットの一例を説明する図。
【図２７】図２６のフォーマットで伝送される情報に含まれるコマンドの例を説明する図。
【図２８】図１９〜図２２のＡＣＰシステムにおいて、アナログ信号情報処理装置間で相互認証を行なう場合の処理の一例を説明するフローチャート図。
【図２９】図２６〜図２７に例示したようなコマンド情報を含み得るデジタル放送受信機のアナログ出力が、図１、図４、図１６あるいは図１９に例示したようなＨＹ端子付の高解像度テレビジョン（ＨＤＴＶ）あるいはＨＹ端子付のビデオレコーダに接続された場合において、ＨＹ端子を経由するアナログ信号中のＶＢＩの内容を例示する図。
【図３０】図２９の変形例を説明する図。
【図３１】図１〜図１８で説明したようなＡＣＰアダプタが装着されたシンク機器（既存のＡＶ機器等）に、図２６〜図２７に例示したようなコマンド情報を含むアナログ信号を供給するものにおいて、コマンド情報がリモコン経由でシンク機器に送られる構成の一例を説明する図。
【図３２】この発明の実施の形態に係るＡＣＰアダプタの動作例を説明するフローチャート図。
【図３３】図１２のＡＣＰアダプタの変形例であって、プラグおよびケーブル部分を、ＡＣＰアダプタ給電用の電源配線を含む３芯構造とした場合の構成を例示する断面図。
【図３４】図３３のＡＣＰアダプタに挿通される３芯構造のＨＹ端子対応ピンプラグを、信号コネクタピンの側からみた状態を例示する図。
【図３５】図３３のＡＣＰアダプタの変形例であって、挿入位置合わせ用ガイドの凹凸関係を逆にした場合の構成を例示する断面図。
【図３６】図３５のＡＣＰアダプタに挿通される３芯構造のＨＹ端子対応ピンプラグを、信号コネクタピンの側からみた状態を例示する図。
【図３７】日米における標準画質（ＳＤ）ビデオおよび高解像度・高画質（ＨＤ）ビデオを例にとり、ＨＹ端子を用いたＨＤ画質のアナログコピープロテクトおよびＳＤ画質でのアナログコピープロテクトの関連処理を例示する図。
【符号の説明】
【０３０５】
ＡＣＰ…アナログ・コピー・プロテクション；ＶＢＩ…垂直帰線消去期間の情報；ＨＤＴＶ…アナログコンポーネントビデオ入力端子を装備し、ＮＴＳＣビデオ信号（水平捜査周波数１５．７５ｋＨｚ／垂直走査周波数６０Ｈｚ）以外の走査周波数のビデオ信号も受け付けるテレビジョン／ビデオモニタ；１０…ソース機器（ＤＶＤプレーヤ等）側のトランスミッタ；１００…デジタル・スクランブラ（エンコーダ）；１００Ａ…アナログ・スクランブラ（エンコーダ）；１０２…スクランブルされたデジタル信号をアナログ化するＤ／Ａ変換器；１０２Ａ…スクランブルされる前のデジタル信号をアナログ化するＤ／Ａ変換器；１０４…認証キー交換部；１０４Ａ…スクランブルキー発生部；２０…アナログ信号ケーブル；３０…シンク機器側のレシーバ；３００、３００Ａ…デ・スクランブラ（デコーダ）；３０４…認証キー交換部；３０４Ａ…スクランブルキー受信部；４０…既存機器の外部接続部（ＡＣＰアダプタが接続される）；５０シンク機器（ハイビジョンＴＶ等）；５００…シンク機器の内部回路；１０００〜５０００…アナログ信号情報処理装置；ＩＮＶ１１〜ＩＮＶ２３…アナログインバータ／極性反転回路；Ｇ／ＯＦ１１〜Ｇ／ＯＦ３３…ゲイン／オフセット調整部。
【図１】
2006238461.tif 000003
【図２】
2006238461.tif 000004
【図３】
2006238461.tif 000005
【図４】
2006238461.tif 000006
【図５】
2006238461.tif 000007
【図６】
2006238461.tif 000008
【図７】
2006238461.tif 000009
【図８】
2006238461.tif 000010
【図９】
2006238461.tif 000011
【図１０】
2006238461.tif 000012
【図１１】
2006238461.tif 000013
【図１２】
2006238461.tif 000014
【図１３】
2006238461.tif 000015
【図１４】
2006238461.tif 000016
【図１５】
2006238461.tif 000017
【図１６】
2006238461.tif 000018
【図１７】
2006238461.tif 000019
【図１８】
2006238461.tif 000020
【図１９】
2006238461.tif 000021
【図２０】
2006238461.tif 000022
【図２１】
2006238461.tif 000023
【図２２】
2006238461.tif 000024
【図２３】
2006238461.tif 000025
【図２４】
2006238461.tif 000026
【図２５】
2006238461.tif 000027
【図２６】
2006238461.tif 000028
【図２７】
2006238461.tif 000029
【図２８】
2006238461.tif 000030
【図２９】
2006238461.tif 000031
【図３０】
2006238461.tif 000032
【図３１】
2006238461.tif 000033
【図３２】
2006238461.tif 000034
【図３３】
2006238461.tif 000035
【図３４】
2006238461.tif 000036
【図３５】
2006238461.tif 000037
【図３６】
2006238461.tif 000038
【図３７】
2006238461.tif 000039